(57)【要約】      （修正有）【課題】機器又は装置をさまざまな車両内に固定し、簡単に再配置できる機器取り付けシステムを提供する。【解決手段】軌道取り付けシステムが、互いに反対側の後面と前面を有する取り付け板と、取り付け板の後面へ連結されている少なくとも１つの取り付けスタッドであってそれぞれが後面から外向きに延びている軸部分と軸部分の遠位端に配置されている拡大頭部分とを含んでいる取り付けスタッドと、を備えている取付台５０、を含んでいる。取付台は、更に、取付台を軌道１０から解放するために前面へ連結されている解放機構を含んでいる。軌道取り付けシステムは、更に、取り付け板の前面へ連結されているアダプタを含んでおり、アダプタは機器の機器インターフェースと解放可能に連結する。【選択図】図１１
2018048741.tif 000002
【特許請求の範囲】
【請求項１】
取付台アダプタにおいて、
取付台であって、
互いに反対側の後面と前面を有する取り付け板と、
前記取り付け板の前記後面へ連結されている少なくとも１つの取り付けスタッドであって、それぞれが前記後面から外向きに延びている軸部分と前記軸部分の遠位端に配置されている拡大頭部分とを含んでいる少なくとも１つの取り付けスタッドと、
前記前面へ連結されている解放機構であって、
前記取り付け板を貫いて配置されていて伸展位置では前記後面から外向きに伸びているロックピン、
前記ロックピンを前記伸展位置に付勢しているロック付勢ピン、及び
前記ロックピンへ動作可能に連結されていて、作動させると前記ロックピンを前記取り付け板に向けて引き込み位置へと引き込み、解放すると前記ロック付勢ばねに前記ロックピンを前記伸展位置に付勢させる少なくとも１つのロックピン解放、を備えている解放機構と、を備えている取付台と、
前記取り付け板の前記前面へ連結されているアダプタであって、機器の機器インターフェースと解放可能に連結するアダプタと、を備えている取付台アダプタ。
【請求項２】
前記アダプタは、
互いに反対側の第１面と第２面を有する第２取り付け板と、
前記第２面へ連結されている第２解放機構であって、
前記第２取り付け板を貫いて配置されていて伸展位置では前記第１面から外向きに伸びている第２ロックピン、
前記第２ロックピンを前記伸展位置に付勢している第２ロック付勢ピン、及び
前記第２ロックピンへ動作可能に連結されていて、作動させると前記第２ロックピンを前記第２取り付け板に向けて引き込み位置へと引き込み、解放すると前記第２ロック付勢ばねに前記第２ロックピンを前記伸展位置に付勢させる少なくとも１つの第２ロックピン解放、を備えている第２解放機構と、
前記第２取り付け板に配置されている少なくとも１つの鍵穴型スロットと、を更に備えている、請求項１に記載の取付台アダプタ。
【請求項３】
前記機器インターフェースは、
接続板と、
前記接続板を貫いて配置されている１つ又はそれ以上の機器取り付け孔と、
前記接続板を貫いて配置されているロックピン孔と、
前記取り付け板の前記後面へ連結されていて各々が接続面から外向きに延びている軸部分と各軸部分の遠位端に配置されている拡大頭部分とを含んでいる少なくとも１つの取り付けスタッドであって、当該１つ又はそれ以上の取り付けスタッドの各々は前記少なくとも１つの鍵穴型スロットの各々と滑動式に連結して前記接続板を前記第２取り付け板へ固定し、前記第２ロックピンが前記ロックピン孔に係合して前記接続板と前記第２取り付け板の間の相対運動を制限するようになっている、少なくとも１つの取り付けスタッドと、を備えている、請求項２に記載の取付台アダプタ。
【請求項４】
前記アダプタは、
取り付け板と、
前記取り付け板へ連結されていてカラー孔を含んでいる第１カラーと、
前記第１カラーへ連結されていて幅広端と幅狭端を有する鍵穴型スロット孔を含んでいる捕捉板であって、前記鍵穴型スロットは前記カラー孔と長手方向に整列していて前記幅狭端は部分的に前記カラー孔を覆っている、捕捉板と、
前記第１カラーへ連結されている楔解放と、
前記楔解放をロック位置に付勢するために前記第１カラーと前記楔解放の間に連結されている楔付勢ばねと、を更に備えている、請求項１に記載の取付台アダプタ。
【請求項５】
前記機器インターフェースは、
機器板と、
複数の捕捉案内を自身の互いに反対側の側面に含んでいる皿と、
前記機器板と前記皿の間に連結されている楔と、を備えており、
前記皿は、前記カラー孔と、当該カラー孔の複数の案内壁が当該皿の複数の側面に係合することを通じて噛み合い式に連結して、前記機器板に前記楔式取付台と整列するように強制し、
前記楔は前記鍵穴型スロット孔の前記幅狭区域と滑動式に連結し、
前記楔解放がロック解除位置にあるとき、前記機器インターフェースは前記アダプタに対して自由に動け、
前記楔解放が前記ロック位置にあるとき、前記捕捉板は前記機器板と前記複数の捕捉案内の間に固定されており、前記機器インターフェースは前記アダプタに対する自身の運動を制限されている、請求項４に記載の取付台アダプタ。
【請求項６】
静脈注射（ＩＶ）バッグキットにおいて、
ＩＶフック機構であって、
前記ＩＶフック機構の中心軸に沿って配置されている中心シャフトと、
前記中心シャフトの近位端へ連結されている取付頭部と、
解放ばねによって前記取付頭部に向けて付勢されて前記中心シャフト上に滑動式に配置されている押圧カラーと、
収納位置及び使用位置へ動けるように枢動可能に前記中心シャフトへ連結されている少なくとも１つのフックと、を備えているＩＶフック機構と、
複数のスロットを有する裏打板を備えている軌道であって、各スロットは互いに実質的に平行であり、各スロットは複数の開口領域と前記複数の開口領域を接続している複数のネックダウン領域を備え、前記取付頭部が前記複数のスロットの各々と滑動式に連結するようになっている、軌道と、を備えている静脈注射（ＩＶ）バッグキット。
【請求項７】
ＩＶバッグＶｅｌｃｒｏ（登録商標）ラップであって、
貫通配置されているシャフト孔と、少なくとも１つのベルトループ孔と、互いに実質的に平行な複数の押圧腕部と、を有するベルト式取付台と、
第２シャフトの遠位端へ連結されている第２取付頭部と、
前記シャフト孔を通って位置している前記第２シャフトの近位端に連結されているタブ頭部と、
前記タブ頭部と前記ベルト式取付台の間に連結されている第２付勢ばねであって、前記第２取付頭部を前記ベルト式取付台に押し当てて付勢している第２付勢ばねと、
前記少なくとも１つのベルトループ孔を通して連結されていてＩＶバッグを固定するのに使用されるベルトと、備えており、前記タブ頭部を前記ベルト式取付台に向けて作動させることによって前記第２解放ばねが圧縮され、前記第２取付頭部を外へ前記複数の押圧腕部より向こうへ伸展させたら、当該ＩＶバッグＶｅｌｃｒｏ（登録商標）ラップを滑動式にスロットに係合させられるようになる、ＩＶバッグＶｅｌｃｒｏ（登録商標）ラップ、を更に備えている請求項６に記載のＩＶバッグキット。
【請求項８】
機器軌道取付台において、
軌道面と機器面を有するレールと、
前記レールへ連結されている複数の取付スタッドであって、各々が前記軌道面から外向きに延びている軸部分と各軸部分の遠位端に配置されている拡大頭部分を含んでいる複数
の取付スタッドと、
前記機器面へ連結されている１つ又はそれ以上のねじの切られたロッドと、
前記レールを貫いて配置されていて伸展位置では前記軌道面から外向きに伸びているロックピンと、
前記ロックピンを伸展位置に付勢しているロック付勢ばねと、
前記機器面へ連結されていて前記ロックピンへ動作可能に連結されている制御ノブであって、作動させると前記ロックピンを前記取り付け板の中へ引き込み、解放すると前記ロック付勢ばねに前記ロックピンを前記伸展位置に付勢させる制御ノブと、を備えている機器軌道取付台。
【請求項９】
前記１つ又はそれ以上のねじの切られたロッドへ連結されている保定フックであって、
支持板へ連結されているフックと、
前記フックの基部に連結されていて紐状材料を保定するように構成されている受け座と、
付勢ばねによって閉位置に付勢されていて前記支持板へヒンジ式に連結されている保定クリップであって、当該保定クリップを開位置へ作動させること無しの前記紐状材料の取り外しを阻止するように構成されている保定クリップと、を備えている保定フック、を更に備えている請求項８に記載の機器軌道取付台。
【請求項１０】
前記１つ又はそれ以上のねじの切られたロッドへ連結されている二重取付板と、
前記二重取付板へ連結されている第１保定フックであって、
第１支持プレートへ連結されている第１フック、
前記第１フックの第１基部に連結されていて第１の紐状材料を保定するように構成されている第１受け座、及び、
第１付勢ばねによって閉位置に付勢されていて前記第１支持板へヒンジ式に連結されている第１保定クリップであって、当該第１保定クリップを開位置へ作動させること無しの前記第１紐状材料の取り外しを阻止するように構成されている第１保定クリップ、を備えている第１保定フックと、
前記第１保定フックに加えて前記二重取り付け板へ連結されている第２保定フックであって、
第２支持プレートへ連結されている第２フック、
前記第２フックの第２基部に連結されていて第２の紐状材料を保定するように構成されている第２受け座、及び、
第２付勢ばねによって閉位置に付勢されていて前記第２支持板へヒンジ式に連結されている第２保定クリップであって、当該第２保定クリップを開位置へ作動させること無しの前記第２紐状材料の取り外しを阻止するように構成されている第２保定クリップ、を備えている第２保定フックと、を更に備えている請求項８に記載の機器軌道取付台。
【請求項１１】
前記１つ又はそれ以上のねじ切られたロッドへ連結されている電灯組立体取付台であって、
前記電灯組立体取付台へ連結されているクランプと、
近位端を前記クランプへ連結されている可撓性首部と、
前記可撓性首部の遠位端へ連結されている電灯組立体と、を備えている電灯組立体取付台、を更に備えている請求項８に記載の機器軌道取付台。
【請求項１２】
前記１つ又はそれ以上のねじの切られたロッドへ連結されている静脈注射（ＩＶ）バッグ取付台であって、
近位端を前記１つ又はそれ以上のねじの切られたロッドへ連結されているマストと、
前記マストの遠位端に連結されている保定フックであって、
支持板へ連結されているフック、
前記フックの基部に連結されていて紐状材料を保定するように構成されている受け座、及び、
付勢ばねによって閉位置に付勢されていて前記支持板へヒンジ式に連結されている保定クリップであって、当該保定クリップを開位置へ作動させること無しの前記紐状材料の取り外しを阻止するように構成されている保定クリップ、を備えている保定フックと、
前記マストの近位端へ連結されているＩＶバッグＶｅｌｃｒｏ（登録商標）ラップであって、
少なくとも１つのベルトループ孔、及び、
ＩＶバッグを前記軌道へ固定するために前記少なくとも１つのベルトループ孔を通して連結されているベルト、を備えているＩＶバッグＶｅｌｃｒｏ（登録商標）ラップと、を備えているＩＶバッグ取付台、を更に備えている請求項８に記載の機器軌道取付台。
【請求項１３】
中央スロットと第１外側スロットと第２外側スロットを有する裏打板を備えている軌道において、前記中央スロットは前記裏打板を備え、前記第１スロット及び前記第２スロットは複数の開口領域及び当該複数の開口領域を接続している複数のネックダウン領域を備えており、４つおきの開口領域は目標開口領域であって各開口領域より大きい直径の孔を有している、軌道。
【請求項１４】
前記中央スロットは、前記裏打板に複数のロックピン孔を備えており、前記ロックピン孔は前記複数の開口領域と横方向に整列している、請求項１３に記載の軌道。
【請求項１５】
前記中央スロットは前記複数の開口領域及び当該複数の開口領域を接続している前記複数のネックダウン領域を備えており、前記第１外側スロット、前記中央スロット、及び前記第２外側スロットの前記複数の開口領域は横方向に整列している、請求項１３に記載の軌道。
【請求項１６】
中央スロットと第１外側スロットと第２外側スロットを有する裏打板を備えている急速取付軌道において、前記第１外側スロット及び前記第２外側スロットは、ｔ字形状スタッドの丸い頭部を前記裏打板に対して角度を成して前記第１外側スロット及び前記第２外側スロットに係合させられるようにする複数のダイヤモンド輪郭の目標領域を備えており、前記中央スロットは前記裏打板に複数のロックピン孔を有しており、前記ロックピン孔は前記複数のダイヤモンド輪郭の目標領域と横方向に整列している、急速取付軌道。
【請求項１７】
構造的軌道において、
互いに反対側の表面と裏面を有する裏打板であって、
複数の開口領域及び当該複数の開口領域を接続している複数のネックダウン領域を有する第１外側スロット、
複数の開口領域及び当該複数の開口領域を接続している複数のネックダウン領域を有する第２外側スロット、
前記裏打板に複数のロックピン孔を有する中央スロットであって、前記ロックピン孔は前記第１外側スロット及び前記第２外側スロットの前記複数の開口領域と横方向に整列している、中央スロット、
第１壁覆い材を前記裏打板の前記表面と面一に支持するための当該裏打板の第１外側縁に沿った第１トリムタブ、及び、
第２壁覆い材を前記裏打板の前記表面と面一に支持するための当該裏打板の第２外側縁に沿った第２トリムタブ、を備えている裏打板と、
前記第１壁覆い材と前記第２壁覆い材と外側壁覆い材を支持するための構造を含んでいる壁組立体のための支持を提供するために、前記裏打板の前記裏面へ連結されている支持構造と、を備えている構造的軌道。
【請求項１８】
自己整列式取り付けシステムにおいて、
互いに反対側の前面と後面を有する取り付け板であって、
前記前面へ連結されていて皿孔を含んでいる第１カラーと、
前記第１カラーへ連結されていて前記皿孔を部分的に覆っている鍵穴型スロット孔を含んでいる捕捉板であって、前記皿孔及び前記鍵穴型スロット孔は降着区域と捕捉区域を画定しており、前記降着区域は前記鍵穴型スロット孔と前記皿孔がほぼ同じ寸法である所と定義され、前記捕捉区域は前記鍵穴型スロット孔が前記皿孔より小さくなっている所と定義されている、捕捉板と、
前記第１カラーへ連結されている楔解放と、
前記楔解放をロック位置に付勢するために前記第１カラーと前記楔解放の間に連結されている楔付勢ばねと、
前記後面へ連結されている少なくとも１つの取り付けスタッドであって、それぞれが前記後面から外向きに延びている軸部分と軸部分の遠位端に配置されている拡大頭部分を含んでいる少なくとも１つの取り付けスタッドと、
前記取り付け板へ連結されているロックピン解放であって、
前記取り付け板を貫いて配置されていて伸展位置では前記後面から外向きに伸びているロックピン、
前記ロックピンを前記伸展位置に付勢しているばね、及び、
前記ロックピンへ動作可能に連結されていて、作動させると前記ロックピンを前記取り付け板の中へ引き込み、解放すると前記ばねに前記ロックピンを前記伸展位置に付勢させる少なくとも１つの被解放ロックピンと、を備えているロックピン解放と、を備えている取り付け板と、
機器板であって、
複数の捕捉案内を含んでいる皿と、
前記機器板と前記皿の間に連結されている楔であって、前記皿は前記皿孔と噛み合い式に連結し、前記楔は前記鍵穴型スロット孔と滑動式に連結し、前記楔解放がロック解除位置にあるとき、前記機器インターフェースは前記アダプタに対して自由に動け、前記楔解放が前記ロック位置にあるとき、前記捕捉板は前記機器板と前記複数の捕捉案内の間に固定されるようになっている、機器板と、を備えている自己整列式取り付けシステム。
【請求項１９】
前記楔式取付台は軌道と滑動式に連結し、前記軌道は、中央スロットと第１外側スロットと第２外側スロットを有する裏打板を備えており、前記第１外側スロット及び前記第２外側スロットは、ｔ字形状スタッドの丸い頭部を前記裏打板に対して角度を成して前記第１外側スロット及び前記第２外側スロットに係合させられるようにする複数のダイヤモンド輪郭の目標領域を備えており、前記中央スロットは前記裏打板に複数のロックピン孔を有しており、前記ロックピン孔は前記複数のダイヤモンド輪郭の目標領域と横方向に整列している、請求項１８に記載の自己整列式取り付けシステム。
【請求項２０】
前記機器板は医療装置へ連結されている、請求項１８に記載の自己整列システム。
【請求項２１】
機器を壁へ固定する方法において、
医療装置を、機器板と、複数の捕捉案を有する皿と、前記機器板と前記皿の間に連結されている楔と、を備えている楔インターフェースへ固定する段階と、
軌道を壁へ連結する段階であって、前記軌道は、中央スロットと第１外側スロットと第２外側スロットを有する裏打板を備えており、前記第１外側スロット及び前記第２外側スロットは、ｔ字形状スタッドの丸い頭部を前記裏打板に対して角度を成して前記第１外側スロット及び前記第２外側スロットに係合させられるようにする複数のダイヤモンド輪郭の目標領域を備えており、前記中央スロットは前記裏打板に複数のロックピン孔を有しており、前記ロックピン孔は前記複数のダイヤモンド輪郭の目標領域と横方向に整列している、軌道を壁へ連結する段階と、
楔式取付台を前記軌道へ、前記楔式取付台上の１つ又はそれ以上の取り付けスタッドを前記１つ又はそれ以上のダイヤモンド輪郭の目標領域と整列させ前記楔式取付台をロックピンがロックピン孔に係合するロック位置へ滑動式に連結することによって取り付ける段階であって、前面及び後面を有する前記楔式取付台は、
前記前面へ連結されていて皿孔を含んでいる第１カラーと、
前記第１カラーへ連結されていて幅広端と前記皿孔を部分的に覆っている幅狭端を有する鍵穴型スロット孔を含んでいる捕捉板であって、前記鍵穴型スロット孔の前記幅広区域及び対応する皿孔は降着区域を画定し、前記鍵穴型スロット孔の幅狭端及び対応する皿孔は捕捉区域を画定している、捕捉板と、
前記第１カラーへ連結されている楔解放と、
前記楔解放をロック位置に付勢するために前記第１カラーと前記楔解放の間に連結されている楔付勢ばねと、
前記後面へ連結されている少なくとも１つの取り付けスタッドであって、それぞれが前記後面から外向きに延びている軸部分と軸部分の遠位端に配置されている拡大頭部分を含んでいる少なくとも１つの取り付けスタッドと、
前記前面へ連結されている解放機構であって、
前記取り付け板を貫いて配置されていて伸展位置では前記後面から外向きに伸びているロックピン、
前記ロックピンを前記伸展位置に付勢しているロック付勢ばね、を備えている解放機構と、
前記ロックピンへ動作可能に連結されていて、作動させると前記ロックピンを前記取り付け板の中へ引き込み、解放すると前記ロック付勢ばねに前記ロックピンを前記伸展位置に付勢させる少なくとも１つの被解放ロックピンと、を備えている楔式取付台を前記軌道へ取り付ける段階と、
前記皿を前記鍵穴型スロット開口の幅広端を通して前記降着区域へそして前記皿孔の中へ押し入れ、当該皿孔の複数の案内壁が前記皿の複数の勾配の付けられた側面に係合できるようにして、前記楔インターフェースを前記楔式取付台と整列するように強制することによって、前記楔インターフェースを前記楔式取付台に対して整列させる段階と、
前記楔インターフェースの前記楔を前記鍵穴型スロット孔の前記幅狭端の前記捕捉区域の中へ、前記捕捉板が前記機器板と前記複数の捕捉案内の間に固定されるまで滑動式に動かしてゆくことによって、前記機器板を前記楔式取付台と連結する段階と、
前記楔付勢ばねが前記楔解放を前記ロック位置に付勢することによって前記楔インターフェースを前記楔式取付台の中へロックする段階と、を備えている方法。
【請求項２２】
前記楔解放をロック解除位置へ作動させることによって前記楔インターフェースを前記楔式取付台からロック解除する段階と、
前記楔インターフェースの前記楔を前記鍵穴型スロット孔の前記幅狭端から外へ、前記捕捉板が前記鍵穴型スロット孔の幅広区域に入るまで滑動式に動かすことによって、前記楔インターフェースを前記楔式取付台から連結解除する段階と、
前記皿を前記皿孔から引き抜くことによって前記楔インターフェースを前記楔式取付台から取り外す段階と、を備えている請求項２１に記載の方法。
【請求項２３】
前記皿と前記降着区域の前記整列の目視は必要ではない、請求項２１に記載の方法。
【発明の詳細な説明】
【技術分野】
【０００１】
[0001]（関連出願の相互参照）
本願はこれにより２０１３年２月１１日出願の仮出願第６１／７６３，０４５号の恩典を主張し、同仮出願をここに参考文献としてそっくりそのまま援用する。
【０００２】
[0001]本明細書は、概括的には機器を様々な構成で構造上に取り付けるための機器取り付けシステムに、より厳密には機器を車両内に取り付けるための軌道取り付けシステムに、関する。
【背景技術】
【０００３】
[0002]機器及び装置の取り付けは、第三者構造への固定については製造業者取り付け場所に依存している。このせいで、特定の場所へ取り付けるのにそれぞれの機器又は装置毎に個別の適応を余儀なくされ、時間を食ったり多大な労働を要したりすることもある。また、機器又は装置を移動させたいとなれば、機器又は装置を新しい場所に取り付け直すことのために時間及び労力の量が増す。製造業者が追加の金銭を顧客に支払わせて自分たちの機器又は装置へ急速取り付け用金物類を付け加えることを検討することもできるが、新たな金物類は他の製造業者の金物類と両立しないかもしれない。
【０００４】
[0003]機器又は装置を、救急車、ヘリコプター、航空機、軍用車両、ＡＴＶ、カート、など、の様な車両内に取り付けることが所望される場合、問題は複合化する。静的適用に及んで固定用締結具が耐え忍ばねばならない過酷さは増加する。また、車両の乗員らが機器又は装置を業務区域から離して配置し直すこと及び工具の必要性無しに配置し直すことを要求することもある。
【先行技術文献】
【特許文献】
【０００５】
【特許文献１】米国仮出願第６１／７６３，０４５号
【発明の概要】
【発明が解決しようとする課題】
【０００６】
[0004]以上より、車両を廻って車両全体を通して機器又は装置を固定し及び簡単に再配置する代わりの手法の必要性が存在する。
【課題を解決するための手段】
【０００７】
[0005]１つの実施形態では、軌道取り付けシステムが、互いに反対側の後面と前面を有する取り付け板と、取り付け板の後面へ連結されている少なくとも１つの取り付けスタッドであってそれぞれが後面から外向きに延びている軸部分と軸部分の遠位端に配置されている拡大頭部分とを含んでいる取り付けスタッドと、を備える取付台を含んでいる。取付台は、更に、取付台を軌道から解放するために前面へ連結されている解放機構を含んでいる。軌道取り付けシステムは、更に、取り付け板の前面へ連結されているアダプタを含んでおり、アダプタは機器の機器インターフェースと解放可能に連結する。
【０００８】
[0006]別の実施形態では、静脈注射（ＩＶ）バッグキットが、ＩＶフック機構と、軌道と、を含んでいる。ＩＶフック機構は、ＩＶフック機構の中心軸に沿って配置されている中心シャフトと、中心シャフトの近位端へ連結されている取付頭部と、解放ばねによって取付頭部に向けて付勢されて中心シャフト上に滑動式に配置されている押圧カラーと、収納位置及び使用位置へ動けるように枢動可能に中心シャフトへ連結されている少なくとも
１つのフックと、を含んでいる。軌道は、複数のスロットを有する裏打板を含んでおり、各スロットは互いに実質的に平行であり、各スロットは複数の開口領域及び当該複数の開口領域を接続している複数のネックダウン領域を備えており、取付頭部は複数のスロットの各々と滑動式に連結する。
【０００９】
[0007]更に別の実施形態では、機器軌道取付台が軌道面と機器面を有するレールを備えている。レールは、レールへ連結されている複数の取付スタッドを含んでおり、複数の取り付けスタッドの各々は、軌道面から外向きに延びている軸部分と各軸部分の遠位端に配置されている拡大頭部分を含んでおり、機器面へは１つ又はそれ以上のねじの切られたロッドが連結されている。レールは、更に、レールを貫いて配置されていて伸展位置では軌道面から外向きに伸びているロックピンと、ロックピンを伸展位置に付勢しているロック付勢ばねと、機器面へ連結されていてロックピンへ動作可能に連結されている制御ノブであって、作動させるとロックピンを取り付け板の中へ引き込み、解放するとロック付勢ばねにロックピンを伸展位置に付勢させる制御ノブと、を含んでいる。
【００１０】
[0008]別の実施形態では、軌道が、中央スロットと第１外側スロットと第２外側スロットを有する裏打板を含んでおり、中央スロットは当該裏打板を備え、第１外側スロット及び第２外側スロットは複数の開口領域及び当該複数の開口領域を接続している複数のネックダウン領域を備えており、４つおきの開口領域が各開口領域より大きい直径の孔を有する目標開口領域となっている。
【００１１】
[0009]更に別の実施形態では、急速取付軌道が、中央スロットと第１外側スロットと第２外側スロットを有する裏打板を含んでおり、第１外側スロット及び第２外側スロットは、ｔ字形状スタッドの丸い頭部を裏打板に対して角度を成して第１外側スロット及び第２外側スロットに係合させられるようにする複数のダイヤモンド輪郭の目標領域を備えており、中央スロットは裏打板に複数のロックピン孔を有しており、ロックピン孔は複数のダイヤモンド輪郭の目標領域と横方向に整列している。
【００１２】
[0010]互いに反対側の表面と裏面を有する裏打板であって、裏打板は、複数の開口領域及び当該開口領域を接続している複数のネックダウン領域を有する第１外側スロットと、複数の開口領域及び当該開口領域を接続している複数のネックダウン領域を有する第２外側スロットと、裏打板に複数のロックピン孔を有する中央スロットと、を含んでおり、ロックピン孔は、第１外側スロット及び第２外側スロットの複数の開口領域と横方向に整列している。裏打板は、更に、第１壁覆い材を裏打板の表面と面一に支持するための裏打板の第１外側縁に沿った第１トリムタブと、第２壁覆い材を裏打板の表面と面一に支持するための裏打板の第２外側縁に沿った第２トリムタブと、を含んでいる。裏打板の裏面へは、壁組立体のための支持を提供する支持構造が連結されており、壁組立体は、第１壁覆い材、第２壁覆い材、及び外側壁覆い材、を支持するための構造を含んでいる。
【００１３】
[0011]別の実施形態では、自己整列式取り付けシステムが、取り付け板と、機器板と、を含んでいる。取り付け板は、互いに反対側の前面と後面を有している。第１カラーが前面へ連結されていて皿孔を含んでいる。捕捉板が第１カラーへ連結されていて、皿孔を部分的に覆う鍵穴型スロット孔を含んでおり、皿孔及び鍵穴型スロット孔は降着区域と捕捉区域を画定していて、降着区域は鍵穴型スロット孔と皿孔がほぼ同じ寸法である所と定義され、捕捉区域は鍵穴型スロット孔が皿孔より小さくなっている所と定義される。楔解放が第１カラーへ連結されており、楔解放をロック位置に付勢するために楔付勢ばねが第１カラーと楔解放の間に連結されており、少なくとも１つの取り付けスタッドが後面へ連結されており、各取り付けスタッドは後面から外向きに延びている軸部分と軸部分の遠位端に配置されている拡大頭部分を含んでおり、ロックピン解放が取り付け板へ連結されている。ロックピン解放は、取り付け板を貫いて配置されていて伸展位置では後面から外向き
に伸びているロックピンと、ロックピンを伸展位置に付勢しているばねと、ロックピンへ動作可能に連結されていて、作動させるとロックピンを取り付け板の中へ引き込み、解放するとばねにロックピンを伸展位置に付勢させる少なくとも１つの被解放ロックピンと、を含んでいる。楔インターフェースは、複数の捕捉案内を含む皿と、機器板と皿の間に連結されている楔と、を含んでおり、皿は皿孔と噛み合い式に連結し、楔は鍵穴型スロット孔と滑動式に連結し、楔解放がロック解除位置にあるとき、機器インターフェースはアダプタに対して自由に動け、楔解放がロック位置にあるとき、捕捉板は機器板と複数の捕捉案内の間に固定される。
【００１４】
[0012]これらの特徴及びここに記載の実施形態によって提供される更なる特徴は、次の詳細な説明を図面と関連付けて見てゆけばより深く理解されるはずである。
[0013]図面に示されている実施形態は、説明が目的であり、本質的に例示であり、特許請求の範囲によって定義されている主題を限定しようとするものではない。次に続く説明を目的とした実施形態の詳細な記述は、添付図面と関連付けながら閲読されれば理解され得るものであり、図面中、同様の構造は同様の符号で表示されている。
【図面の簡単な説明】
【００１５】
【図１】[0014]ここに示され説明されている１つ又はそれ以上の実施形態による軌道の斜視図を描いている。
【図２】[0015]ここに示され説明されている１つ又はそれ以上の実施形態による軌道の断面を描いている。
【図３】[0016]ここに示され説明されている１つ又はそれ以上の実施形態による取付台の斜視後面図を描いている。
【図４】[0017]ここに示され説明されている１つ又はそれ以上の実施形態による軌道及と取り付け板の同相配列（in-phase configuration）を描いている。
【図５】[0018]ここに示され説明されている１つ又はそれ以上の実施形態による軌道と取り付け板の異相配列（out-of-phase configuration）を描いている。
【図６】[0019]ここに示され説明されている１つ又はそれ以上の実施形態による取付台の別の実施形態の前面を示す斜視前面図である。
【図７】[0020]ここに示され説明されている１つ又はそれ以上の実施形態による解放機構の内側の仕組みを描いている。
【図８】[0021]ここに示され説明されている１つ又はそれ以上の実施形態による取付台の別の実施形態を描いている。
【図９】[0022]ここに示され説明されている１つ又はそれ以上の実施形態による機器インターフェースの１つの例を描いている。
【図１０Ａ】[0023]ここに示され説明されている１つ又はそれ以上の実施形態によるユニバーサルアダプタを描いている。
【図１０Ｂ】[0023]図１０Ａと共に、ここに示され説明されている１つ又はそれ以上の実施形態によるユニバーサルアダプタを描いている。
【図１０Ｃ】[0024]ここに示され説明されている１つ又はそれ以上の実施形態による機器インターフェースの別の実施形態を描いている。
【図１１】[0025]ここに示され説明されている１つ又はそれ以上の実施形態による自己整列式取り付けシステムの楔式取付台を描いている。
【図１２】[0026]ここに示され説明されている１つ又はそれ以上の実施形態による楔式取付台の第１カラーを描いている。
【図１３】[0027]ここに示され説明されている１つ又はそれ以上の実施形態による楔式取付台の断面図を描いている。
【図１４】[0028]ここに示され説明されている１つ又はそれ以上の実施形態による楔インターフェースの前面図を描いている。
【図１５】[0029]ここに示され説明されている１つ又はそれ以上の実施形態による楔インターフェースの側面図を描いている。
【図１６Ａ】[0030]ここに示され説明されている１つ又はそれ以上の実施形態による楔インターフェースの斜視図を描いている。
【図１６Ｂ】[0031]ここに示され説明されている１つ又はそれ以上の実施形態による、皿を取り払った状態の楔インターフェースの底面図である。
【図１７】[0032]ここに示され説明されている１つ又はそれ以上の実施形態による、使用位置にある折り畳み式トレイを描いている。
【図１８】[0033]ここに示され説明されている１つ又はそれ以上の実施形態による、使用位置にある折り畳み式トレイの別の斜視図である。
【図１９】[0034]ここに示され説明されている１つ又はそれ以上の実施形態によるスイベル式取付台の斜視図を描いている。
【図２０】[0035]ここに示され説明されている１つ又はそれ以上の実施形態によるスイベル式取付台の別の斜視図を描いている。
【図２１】[0036]ここに示され説明されている１つ又はそれ以上の実施形態による、使用位置にある頭上ＩＶフックを描いている。
【図２２】[0037]ここに示され説明されている１つ又はそれ以上の実施形態による、収納位置にある頭上ＩＶフックを描いている。
【図２３Ａ】[0038]ここに示され説明されている１つ又はそれ以上の実施形態によるＩＶバッグ・ベルクロ（Ｖｅｌｃｒｏ）（登録商標）ラップを描いている。
【図２３Ｂ】[0038]図２３Ａと共に、ここに示され説明されている１つ又はそれ以上の実施形態によるＩＶバッグＶｅｌｃｒｏ（登録商標）ラップを描いている。
【図２４】[0039]ここに示され説明されている１つ又はそれ以上の実施形態による機器軌道取付台を描いている。
【図２５】[0040]ここに示され説明されている１つ又はそれ以上の実施形態による保定フックを描いている。
【図２６】[0041]ここに示され説明されている１つ又はそれ以上の実施形態によるＩＶバッグ取付台を描いている。
【図２７】[0042]ここに示され説明されている１つ又はそれ以上の実施形態による、複数の目標開口領域及び非目標開口領域を有する軌道を描いている。
【図２８Ａ】[0043]ここに示され説明されている１つ又はそれ以上の実施形態による急速解放軌道を描いている。
【図２８Ｂ】[0043]図２８Ａと共に、ここに示され説明されている１つ又はそれ以上の実施形態による急速解放軌道を描いている。
【図２９】[0044]ここに示され説明されている１つ又はそれ以上の実施形態による複数のロック孔を有する軌道を描いている。
【図３０】[0045]ここに示され説明されている１つ又はそれ以上の実施形態による、中央スロットの無い軌道を描いている。
【図３１】[0046]ここに示され説明されている１つ又はそれ以上の実施形態による軌道を組み入れている壁組立体を描いている。
【図３２】[0047]ここに示され説明されている１つ又はそれ以上の実施形態による、一体に繋げられた複数の壁組立体を描いている。
【図３３】[0048]ここに示され説明されている１つ又はそれ以上の実施形態による壁上使用のためのキャビネットを描いている。
【図３４】[0049]ここに示され説明されている１つ又はそれ以上の実施形態によるキャビネットの裏側を描いている。
【図３５】[0050]ここに示され説明されている１つ又はそれ以上の実施形態による壁へ取り付けられたキャビネットを描いている。
【図３６】[0051]ここに示され説明されている１つ又はそれ以上の実施形態による車両室（vehicle cab）を描いている。
【図３７】[0052]ここに示され説明されている１つ又はそれ以上の実施形態による、中心軸周りに回転させるロックピン解放を有する楔式取付台を描いている。
【図３８】[0053]ここに示され説明されている１つ又はそれ以上の実施形態によるユニバーサルアダプタの別の実施形態を描いている。
【図３９Ａ】[0054]ここに示され説明されている１つ又はそれ以上の実施形態による急速解放クリップを描いている。
【図３９Ｂ】[0054]図３９Ａと共に、ここに示され説明されている１つ又はそれ以上の実施形態による急速解放クリップを描いている。
【発明を実施するための形態】
【００１６】
[0055]次に続く本文は、本開示の多数の異なった実施形態の広範な説明を記している。本説明は、単に例示と見なされるべきであり、実現され得る実施形態全てを記述するのは不可能ではないにしても非現実的であろうことから、本説明は実現され得るあらゆる実施形態を記述しているわけではなく、また、ここに記述されている特徴、特性、構成要素、組成、成分、生成物、工程、又は方法論は何れも、全体的又にせよ又は部分的にせよ、削除されることもあり得るし、ここに記述されている何れか他の特徴、特性、構成要素、組成、成分、生成物、工程、又は方法論と組み合わされたり又は置き換えられたりすることもあり得るものと理解しておきたい。多数の代わりの実施形態が、既存の技術を使用するなり或いは本特許の出願日以降に開発された技術を使用するなりして、なお特許請求の範囲による範囲に入るものとして実施されることがあるかもしれない。
【００１７】
[0056]さて図１及び図２を参照すると、軌道システム又は類似の軌道システムでの使用のための軌道１０の説明目的の実施形態が示されている。複数の軌道が使用されてもよいが、同じ軌道システムの複数の軌道は同じか又は実質的に同じ特徴を有していることから１つの軌道１０だけを説明してゆく。また、軌道１０の寸法、形状、及び／又は構成は、据え付け面の寸法及び軌道１０へ取り付けられることになる機器の寸法に依存して変わり得る。軌道１０は、細長く矩形の形状（又は何れか他の適当な形状）を有している裏打板１５と裏打板１５に沿って何れかの長さに延びている３つのスロットを含んでいる。３つのスロットは、第１外側スロット２０、中央スロット２５、及び第２外側スロット３０、としてもよい。それらスロットは図２に裏打板１５の長さ又は実質的長さを走っているＴ字形状の孔として最もよく視認できる。３つのスロットは互いに実質的に平行である。各スロット２０、２５、及び３０は、ネックダウン領域４０と隣接する一連の拡大開口領域３５を有している。幾つかの実施形態では、拡大開口領域３５は、それらが等距離に離間され且つ裏打板１５の長さに沿って幅方向に一列に整列するように対称である。例えば、第１外側スロット２０の２つの開口領域３５及び第２外側スロット３０の２つの開口領域３５は約１２７ミリメートル（ｍｍ）（５インチ）離間されていてもよい。１２７ｍｍの離間距離は、スロット（第１外側スロット２０又は第２外側スロット３０）の任意数の開口領域３５に及んでいてもよい。柔軟な離間距離を説明目的で示すと、３つおきの開口領域が１２７ｍｍに離間されていてもよい。更に別の例では、４つおきの開口領域３５が１２７ｍｍに離間されていてもよい。１２７ｍｍの離間距離は、例示目的でしかなく、開口領域２５についての何れの所望の離間距離が使用されていてもよい。別の例として、スロット２０、２５、及び３０の１つ又はそれ以上のスロットの拡大開口領域３５は、どれもが等距離にあるとは限らず、及び／又は他のスロットの他の拡大開口領域と一列に整列していなくてもよい。
【００１８】
[0057]軌道１０は、１つ又はそれ以上の取り付け孔５５ａ、５５ｂ、５５ｃ、及び５５ｄを含んでいてもよい。取り付け孔５５ａ、５５ｂ、５５ｃ、及び５５ｄは、軌道１０を面へ締結具を使用して固定するのに使用される。締結具は、限定するわけではないが、ねじ、ボルト、リベット、釘、接着剤、ベルクロ（Ｖｅｌｃｒｏ）、溶接、エポキシ、又は２つ又はそれ以上の物体を機械的に一体に接合又は固着する何れかの類似の装置を含む。
【００１９】
[0058]図３は、取付台５０の斜視後面図である。取付台５０は、多くの異なった形状及び寸法を呈していてもよく、図に示され以下に説明されている。取付台５０は、或る機器と軌道の間のインターフェースである。取付台は、それへ付着された機器又は装置の重量を支持するために取付台へ固着されている任意の数の取り付けスタッド１４０を有していてもよい。取付台５０の荷重支承容量を増加させるべくより多い取り付けスタッドが固着されていてもよい。取付台５０は、取付台５０の重量を削減するために孔を含んでいてもよい。取付台５０は、更に、含んでいてもよい。
【００２０】
[0059]取付台５０は、取り付け板１３５、後面１６５、前面１９５、及び４つの取り付けスタッド１４０ａ、１４０ｂ、１４０ｃ、及び１４０ｄ、を有している。後面１６５は、取付台５０の前面１９５とは反対側にある。取付台５０は、軌道１０又は定位板へ取り外し可能に接続及び／又は付着させることができる。各取り付けスタッド１４０ａ、１４０ｂ、１４０ｃ、及び１４０ｄは、それぞれの軸部分１４５ａ、１４５ｂ、１４５ｃ、及び１４５ｄと、それぞれの拡大頭部分１５０ａ、１５０ｂ、１５０ｃ、及び１５０ｄを含んでいる。ロックピン１５５が、図１の軌道１０に係合するための、より厳密には定位板の対応するロックピン孔又は図９に見られるロックピン孔９００又は軌道１０の中央スロット２５の１つの拡大開口領域３５に係合するための伸展ロック位置に向けて外向きに（例えば、ばね、弾性材料、又は他の付勢手段によって）付勢されることになる。ロックピン１５５を中央スロット２５のみに係合させることの代わりに、ロックピン１５５は、第１外側スロット２０か又は第２外側スロット２５か又はそれら両方に係合するように取り付け板１３５上に位置付けられていてもよい。ロックピン１５５は、図７の解放機構１９０へ動作可能に接続されている右ロックピン解放レバー１６０ｂか又は左ロックピン解放レバー１６０ａを個別に又は合同に使用して引っ込ませることができる。両ロックピン解放レバー１６０ａ及び／又は１６０ｂは、他の機器又は装置の邪魔になるのを避け尚且つ取付台５０を軌道１０から解放できるようにするために、何れの方向に向き付けられていてもよいものと理解されたい。また、幾つかの実施形態では、取付台５０を軌道１０から解放するには２つ又はそれ以上の解放レバーを作動させる必要がある。その様な実施形態は、ロックピン解放レバーの一方１６０ａ又は１６０ｂが過って作動された場合の取り付け板１３５の望まれない運動を未然に防ぐことによる追加の安全確保を提供することができる。前面１９５は、何れの装置及び／又は機器をそれへ付着させていてもよい。
【００２１】
[0060]取付台５０は、軌道１０か又は定位板（図示せず）のどちらかへ、干渉嵌め、摩擦嵌め、又は開口領域３５か図９のロックピン孔９００のどちらかに係合するロックピン１５５を使用して、固着させることができる。例えば、取り付けスタッド１４０が、取付台５０を定位板へ付着させるために定位板の鍵穴型スロット（図示せず）のネックダウン部分の底部に置かれるようになっている。別の例では、ロックピン１５５が、取付台５０と軌道１０又は定位板の間の干渉嵌めのために、軌道１０又は定位板に対して付勢力を働かせるようになっている。更に別の例では、上述のロックピン１５５が、ロックピン孔９００又は開口領域３５のどちらかに係合することによって取付台５０を軌道１０又は定位板に対して不動化させるように使用されている。軌道１０及び／又は定位板は取付台５０の非限定的な固着の例であるものと理解されたい。
【００２２】
[0061]図４を参照すると、軌道１０と取り付け板１３５は、取り付け板１３５を軌道１０へロックするのに使用される同相配列（in-phase configuration）を示している。図４を参照して、取り付け板１３５の取り付けスタッド１１５５ａ、１１５５ｂ、１１５５ｃ、及び１１５５ｄの拡大頭部分１５１５ａ、１５１５ｂ、１５１５ｃ、及び１５１５ｄが、スロット１６１０及び１６２０の拡大頭部開口１８００ａ、１８００ｂ、１８００ｃ、及び１８００ｄ内に挿入されたときに、ロックピン１５００はネックダウン部分１８２５ａと整列しているせいでスロット１６１５に進入することが妨げられている。幾つかの実施形態では、拡大頭部分１５１５ａ、１５１５ｂ、１５１５ｃ、及び１５１５ｄをスロッ
ト１６１０及び１６２０に入れると、ロックピン１５００がその外向きに付勢された伸展位置から引っ込むように仕向けられる。
【００２３】
[0062]図５を参照すると、軌道１０と取り付け板１３５は、異相配列（out-of-phase configuration）を示している。取り付けスタッド１１５５ａ、１１５５ｂ、１１５５ｃ、及び１１５５ｄの軸部分１５１０（図示せず）は、拡大頭部分１５１５ａ、１５１５ｂ、１５１５ｃ、及び１５１５ｄをスロット１６１０及び１６２０の中に留まらせた状態で、ネックダウン部分１８２５を通って滑動する寸法である。取り付け板１３５の矢印１１００の向きへの下方（又は上方）運動は、拡大頭部分１５１５ａ、１５１５ｂ、１５１５ｃ、及び１５１５ｄを、スロット１６１０及び１６２０のネックダウン領域１８２５ｂ、１８２５ｃ、１８２５ｄ、及び１８２５ｅと整列させ、ロックピン１５００をスロット１６１５の拡大頭部開口１８００ｅと整列させる。ロックピン１５００の幅は、拡大頭部開口１８００ｅに隣接するネックダウン領域１８２５ｆ及び１８２５ｇを通る上側通路１１１０及び下側通路１１１５より大きくなっており、ひとたびロックピン１５００が拡大頭部開口１８００ｅを通ってスロット１６１５の中へ通じてしまえば取り付け板１３５のそれ以上の運動は阻止される。ロックピン１５００がその伸展位置に向けて付勢される実施形態では、ひとたびロックピン１５００が拡大頭部開口１８００ｅと整列するや、ロックピン１５００は自動的にその伸展位置へパチンと入る。操作員は、上述のロックピン解放１１６０／１１７５の何れかを作動させることによってロックピン１５００をスロット１６１５から引っ込ませたら、再度、取り付け板１３５を軌道１０に沿って異なった高さへ動かすことができる。
【００２４】
[0063]図４及び図５は、取り付けプレート１３５が軌道１０へ４つの取り付けスタッド１１５５ａ、１１５５ｂ、１１５５ｃ、及び１１５５ｄと１つのロックピン１５００を使用して固定されることを示しているが、何れの他の数のスタッド及びロックピンが代わりに採用されてもよいものと認識されたい。その様な実施形態は、取り付け板１３５と軌道１０の間により多い接点を提供することによって、増加した荷重下でも安全確保された接続を可能にさせる。別の実施形態では、取り付け板１３５は、８つのスタッド１１５５を取り付け板１３５の周りに均等に分配して組み入れていてもよい。更に別の実施形態では、軌道１０との解放可能な接続を可能にさせる何れかの他の数のスタッド１１５５が取り付け板１２５上に配置されていてもよい。拡大頭部分１５１５は、スロット１６１０、１６１５、１６２０の開口領域１６２５を通って受け入れられスロット１６１０、１６１５、１６２０のネックダウン領域１６３０の後ろに捕捉される寸法であり、一方、軸部分１５１０はスロット６１０、１１５、１６２０のネックダウン領域１６３０を通り過ぎる寸法である。
【００２５】
[0064]定位板は図１の軌道１０に代わるものである。図３の取付台５０は、定位板へ取り外し可能に連結させることができる。定位板は、それを面へ固定するための何れの適当な取付構造又は締結装置を含んでいてもよい。締結装置は、限定するわけではないが、ねじ、ボルト、リベット、釘、接着剤、Ｖｅｌｃｒｏ、溶接、エポキシ、又は２つ又はそれ以上の物体を機械的に一体に接合又は固着する何れかの類似の装置を含む。この説明目的の実施形態では、定位板は、定位板を面へ固定するのに４つの取り付け孔を組み入れている。定位板は、更に、それぞれが拡大頭部開口とネックダウン部分を有する鍵穴型スロットの形態をしているスロットを含んでいる。鍵穴型スロットの拡大頭部開口は、取り付けスタッドの拡大頭部分を通して受け入れる寸法及び配列であり、ネックダウン部分は、拡大頭部分がネックダウン部分内に捕捉された状態で軸部分に中を滑動させる寸法である。拡大頭部分の捕捉は、取り付けスタッドと第１外側スロット又は中央スロット又は第２外側スロットのネックダウン部分の間の干渉嵌めによって達成させることができる。ロックピンがロックピン孔と整列したときにロックピンを受け入れる寸法のロックピン孔が設けられていてもよい。鍵穴型スロット及びロックピン孔は取付台の取り付けスタッドの鏡像
として配置されている。
【００２６】
[0065]図６は、取付台５０の別の実施形態の前面１９５を示す斜視前面図である。取り付け板１３５は、取り付け板１３５を機器（図示せず）へ以上に挙げられている締結装置の何れかによって付着させるのに使用される機器取り付け穴１７０ａ、１７０ｂ、１７０ｃ、及び１７０ｄを有している。図６は、４つの機器取り付け穴１７０ａ、１７０ｂ、１７０ｃ、及び１７０ｄしか描いていないが、何れの数量の何れの構成の機器取り付け穴１７０が取り付けられることになる機器又は装置に適合するように使用されていてもよい。スタッドナット１８５ａ、１８５ｂ、１８５ｃ、及び１８５ｄが、取り付けスタッド１４０ａ、１４０ｂ、１４０ｃ、及び１４０ｄを取り付け板１３５へ固定するのに使用されている。スタッドナット１８５ａ、１８５ｂ、１８５ｃ、及び１８５ｄは、何れの固定装置であってもよく、ナットに限定されない。解放機構１９０が、取り付け板１３５へ固定されていて、ロックピン解放１６０ａ及び／又は１６０ｂの一方又は両方が作動されたときにロックピン（例えば図７のロックピン１５５）を引き入れる又は押し出すためギヤリングを内部に有している。別の実施形態では、解放機構１９０は、ロックピン１５５をばねの付勢に逆らって作動させるためのギヤリングを含んでいてもよい。解放機構１９０がどの様に働くかの１つの例が図７に見つけられよう。機器は取り付け板１３５の前面１９５へ固定される。
【００２７】
[0066]図７は、解放機構１９０の内側の仕組みの１つの実施形態を描いている。ロックピン１５５は、伸展位置にあって軌道１０のロックピン孔６０の中へ伸びていることが示されている。軌道１０は、図２８ａに示されている実施形態であるとしてもよい。解放機構１９０はハウジング７１５内に固定されていてもよい。ばね７２０がロックピン１５５を伸展位置に伸ばすように付勢力を提供している。ロックピン１５５は、ロックピン１５５の中心を貫いて配置されている引き上げピン７２５を有していてもよい。引き上げピン７２５は、ロックピン１５５を傾かせることもハウジング７１５内に閊えさせることも無しにロックピン１５５を動かすための機械的中立バランス点を提供するようにして配置されていてもよい。
【００２８】
[0067]ロックピン解放１６０は、ロックピン１５５へばね７２０の付勢力に逆らって力を働かせてロックピン１５５を伸展位置から引き込み位置へ移行させるのに使用することができる。引き込み位置は、ロックピン１５５の遠位端７１０が取り付け板１３５の後面１６５と面一となる所である。ロックピン解放１６０は、ロックピン解放１６０をロックピン１５５に向けて移行させるときに上向きの力を引き上げピン７２５に働かせてロックピン１５５を引き込むようにするために傾斜路部分７３０を有していてもよい。言い換えると、ロックピン解放１６０を作動させると、ロックピン１５５は引き込み位置に移行する。ロックピン解放１６０は、ロックピン解放１６０を作動後にロック位置に戻すために付勢力を提供する戻しばね７３５を含んでいてもよい。ロック位置は、ロックピン解放１６０の、取付台５０をロックピン１５５のロックピン孔６０への係合を介して所定位置にロックさせる位置である。
【００２９】
[0068]図７は、更に、取り付けスタッド１４０（即ち１４０ａ及び１４０ｂ）の第１外側スロット２０及び第２外側スロット３０との係合も示している。
[0069]図８を全体的に参照して、取付台５０は、取り付け板１３５の前面１９５へ連結されている以下に詳述のアダプタを含んでいる。アダプタは、機器の機器インターフェースと解放可能に連結する。アダプタは、機器の嵩張り及び／又は重量が取付台５０の固定を難しくすること無く使用者が取付台５０を軌道へ固定できるようにしている。言い換えれば、取付台５０が機器へ直接取り付けられてしまうと、取付台５０の軌道１０との係合が機器の寸法、形状、重量、又は他の要因によって複雑化するかもしれない。アダプタは取付台５０へ固定される。以下に説明されている機器インターフェースが、機器をアダプ
タへ連結するのに使用される。
【００３０】
[0070]図８は取付台５０の別の実施形態を描いている。この説明目的の実施形態では、アダプタは取り付け板１３５へ付着されている第２取り付け板２２５である。この実施形態はアダプタ（以下に説明）又は他の機器を軌道１０へ取り付けられるようにしている。取り付け板１３５は、取付台５０を軌道１０へ固定するのに要する何れの数の取り付けスタッド１４０を有していてもよい。取付台５０がより重い荷重を固定することを求められている場合、取付台５０の荷重容量を増やすために追加の取り付けスタッド１４０が足されていてもよい。この実施形態では、取り付け板１３５は、３つの取り付けスタッド１４０ａ、１４０ｂ、及び１４０ｃを取り付け板１３５へ固定するために３つのスタッドナット１８５ａ、１８５ｂ、及び１８５ｃを有している。３つの取り付けスタッド１４０ａ、１４０ｂ、及び１４０ｃは、図８に示されている三角形構成にあってもよい。取り付けスタッド１８５ｂ及び１８５ｃは横軸Ｈに沿って位置しており、取り付けスタッド１８５ａは縦軸Ｖに沿って位置している。中点Ｍは、横軸Ｈに沿った点であって、取り付けスタッド１８５ｂと取り付けスタッド１８５ｃの間に等距離にある。縦軸は中点Ｍを通っている。取り付けスタッド１８５ｂ及び１８５ｃが軌道１０の第２外側スロット３０及び第１外側スロット２０の開口区域３５にそれぞれ係合するとき、取り付けスタッド１８５ａは中央スロット２５の開口区域３５に係合するように位置付けられる。ロックピン解放１９０と関連付けられるロックピンも中央スロット２５の開口区域２５に係合することになる。スタッドナット１８５ａ、１８５ｂ、及び１８５ｃは、何れの固定装置であってもよく、ナットに限定されない。解放機構１９０は、取り付け板１３５へ固定されていて、ロックピン解放１６０ａ又は１６０ｂの一方又は両方が作動されたときにロックピン（例えば図７に示されているロックピン１５５）を引き入れる又は押し出すためのギヤリングを内部に有している。第２取り付け板２２５は、取り付け板１３５の前面１９５へ、機器取り付け穴１７０（図示せず）の中へねじ込まれる締結具２３０を使用して固定される。締結具２３０の使用は、第２取り付け板２２５を取り付け板１３５へ付着させるのに使用することのできる金物類の型式の限定されない例であり本事例ではねじとされていることを理解されたい。他の説明目的の締結具例には、限定するわけではないが、ボルト／ナットの組合せ、コッターピン、リベット、及び何れかの他の締結機構が挙げられる。第２取り付け板２２５は、機器、装置、アダプタ、及び／又は他の物品を取り付けるために貫通配置されている２つの鍵穴２２０を含んでいてもよい。
【００３１】
[0071]１つの実施形態では、第２取り付け板２２５は第１面２４０及び第２面２４５を有しており、第１面２４０は第２面２４５とは反対側である。第２解放機構（図示せず）が第２面２４５へ連結されている。第２解放機構は、動作及び構成が図７の解放機構１９０と同じである。第２解放機構は、第２取り付け板２２５を貫いて配置されていて伸展位置では第１面２４０から外向きに伸びている第２ロックピン（図示せず）を含んでいる。第２ロック付勢ばね（図示せず）が第２ロックピン２１５を伸展位置に付勢しており、少なくとも１つの第２ロックピン解放（即ち２１０ａ及び２１０ｂ）が第２ロックピン２１５へ動作可能に連結されていて、作動させると第２ロックピン２１５を第２取り付け板２２５に向かって引き込み位置へと引き込み、解放すると第２ロック付勢ばねに第２ロックピン２１５を伸展位置に付勢させる。
【００３２】
[0072]図９は、以上に説明されているアダプタ（即ち第２取り付け板２２５）と連結するのに使用される機器インターフェース１７２の１つの例を示している。接続板９８０が、機器インターフェース１７２のための支持構造として使用されていてもよい。機器取り付け孔１７０ａ、１７０ｂ、１７０ｃ、及び１７０ｄを使用し、機器を機器インターフェース１７２へ固定することができる。４つの取り付け孔が示されているが、機器を機器インターフェース１７２へ正しく固定するために何れの数の取り付け孔が使用されていてもよい。接続板は、更に、接続板を貫いて配置されているロックピン孔９０５と、取り付け
板の後面へ連結されている少なくとも１つの取り付けスタッドを含んでおり、少なくとも１つの取り付けスタッドの各々（即ち１４０ａ及び１４０ｂ）は、接続面９８２から外向きに延びている軸部分と各軸部分の遠位端に配置されている拡大頭部分を含んでいる。１つ又はそれ以上の取り付けスタッド１４０ａ及び１４０ｂは、少なくとも１つの鍵穴型スロット（即ち図８の２２０）の各々と滑動式に連結して接続板９８０を第２取り付け板２２５へ固定する。第２ロックピン２１５は、ロック位置にあるとき、ロックピン孔９０５に係合して接続板９８０と第２取り付け板２２５の間の相対運動を制限する。
【００３３】
[0073]アダプタと共に使用される機器インターフェースの別の実施形態では、接続板９８０は、２つの取り付けスタッド１４０ａ及び１４０ｂと上述のロックピン孔９８１並びに複数のつまみねじを含んでいてもよい。つまみねじは、機器（図示せず）を、簡単に、別体の取付用金物類即ちボルトやねじなどの必要性無しに、付着させるのに使用することができる。使用されるつまみねじは、取り付けられることになる機器によって求められる何れの構成であってもよい。
【００３４】
[0074]機器インターフェースの別の実施形態では、機器インターフェースは２通りの型式のアダプタ間でインターフェースとしての働きをするようになっていてもよい。例えば、接続板９８０は、第１面に１つ又はそれ以上の取り付けスタッド１４０を有し、ロックピン孔９８１及び皿型アダプタ（以下に説明）を第２面に有していてもよい。
【００３５】
[0075]機器インターフェースの別の例は、面取付台（図示せず）である。面取付台は、軌道１０へ、取付台５０を介して直接に固定されてもよいし、又は上述のアダプタを介して固定されてもよい。面取付台２５０は、取付台５０へ、４つの締結具２３０を介して固定される。面取付台は、ロックピン解放が作動されたときに面取付台を軌道から取り外すのを支援するハンドルを有している。ハンドル２６５は、更に、ＩＶバッグを吊ったり、コードを巻き付けたり、又は追加の機器を取り付けたりするのにも使用することができる。面取付台の本体には複数の穴が開けられていて、ユニット全体の重量を削減し、またコードや他の装置を当該複数の穴を通して経路決めすることによってそれらコードや装置を整理及び固定するようになっている。この限定されない実施形態では、複数の穴は、本体の構造を弱めることなく有効に重量を削減することになる設置と寸法である。面取付台へ取り付けられる機器の電源コードを保持するために収納区画が含まれている。
【００３６】
[0076]別の実施形態では、面取付台が直接に取り付け台へ取り付けられている場合、面取付台は機器インターフェースとしては機能せず、機器を固定するために面取付台の本体へ取り付けられているアダプタを含んでいてもよい。機器は、さねはぎ型インターフェースの様な機器インターフェースを組み入れていてもよい。機器と面取付台と取付台は１つのユニットとして機能を発揮することになる。取付締結具が取付台を面取付台へ付着させる。
【００３７】
[0077]機器インターフェースの更に別の例では、Ｓｅｑｕａｌ  Ｅｃｌｉｐｓｅ器（図示せず）を取り付けるのにＳｅｑｕａｌ  Ｅｃｌｉｐｓｅ取付台が使用されている。重量及び材料を節減するべく重量節減用の穴がＳｅｑｕａｌ  Ｅｃｌｉｐｓｅ取付台全体を通して設置されている。Ｓｅｑｕａｌ  Ｅｃｌｉｐｓｅ器が動かないように引き留めるために及びＳｅｑｕａｌ  Ｅｃｌｉｐｓｅ器をＳｅｑｕａｌ  Ｅｃｌｉｐｓｅ取付台へ固定するために、拘束タブ及び拘束腕が使用されている。Ｓｅｑｕａｌ  Ｅｃｌｉｐｓｅ器をＳｅｑｕａｌ  Ｅｃｌｉｐｓｅ取付台に捉えておくための一対の個別の捕縛取付台が捕縛部へ連結されている。一方の捕縛取付台は、捕縛取付台をＳｅｑｕａｌ  Ｅｃｌｉｐｓｅ上方に高架する捕縛マストへ付着されている。Ｓｅｑｕａｌ  Ｅｃｌｉｐｓｅ器が載るデッキ下方にアクセス窓付きのコードホルダが位置付けられている。Ｓｅｑｕａｌ  Ｅｃｌｉｐｓｅ器からのコードはカードホルダに収納され、アクセス窓を通してアクセスできるよ
うになっている。Ｓｅｑｕａｌ  Ｅｃｌｉｐｓｅ締結具が示されており、Ｓｅｑｕａｌ  Ｅｃｌｉｐｓｅ器をＳｅｑｕａｌ  Ｅｃｌｉｐｓｅ取付台へ固定するのに使用される。例えば、６つのＳｅｑｕａｌ  Ｅｃｌｉｐｓｅ締結具が使用されていてもよいが、それらは６つに限定されない。
【００３８】
[0078]別の実施形態では、Ｓｅｑｕａｌ  Ｅｃｌｉｐｓｅ取付台が直接に取付台へ取り付けられている場合、Ｓｅｑｕａｌ  Ｅｃｌｉｐｓｅ取付台は機器インターフェースとしては機能しない。機器とＳｅｑｕａｌ  Ｅｃｌｉｐｓｅ取付台と取付台は１つのユニットとして機能を発揮することになる。取付締結具が取付台をＳｅｑｕａｌ  Ｅｃｌｉｐｓｅ取付台へ付着させる。
【００３９】
[0079]機器インターフェースの更に別の例では、取付台／軌道へ取り付けられない携帯式機器を保持するのに機器ホルダが使用されていてもよい。例えば、携帯式の超音波器械、温度計、計算機、などが機器ホルダによってその場に保持されるようになっていてもよい。機器ホルダは、２つの保定タブ、２つの側壁、及び床、を有する本体を備えている。床及び側壁は機器を機器ホルダに保定する。重量節減を実現し易くするように及びコード又は他の装置を本体に通せるように床には中心に穴がある。２つの保定タブは機器の何らかの上側方運動を抑制する。
【００４０】
[0080]別の実施形態では、機器ホルダが直接に取付台へ取り付けられている場合、機器ホルダは機器インターフェースとしては機能しない。機器と機器ホルダと取付台は１つのユニットとして機能を発揮することになる。更に別の実施形態では、機器ホルダを取付台の必要性無しに直接に軌道へ付着させるのに取付締結具が使用されていてもよい。この技術の一例が図２２に見られる。プルピンがばね及びオフセットフレームによって保定位置に付勢されている。プルピンは機器ホルダを軌道又は他の定位板へ固定させられるようにするために取り付けスタッドの形状を模した頭部を有している。オフセットフレームは、頭部を軌道と係合させたときにばねによって頭部５４へ働く圧力に対抗するための押圧面を提供するのに使用されていてもよい。オフセットフレームは、更に、圧力が直達的に機器ホルダの本体へ働かないように軌道からのオフセットを提供している。
【００４１】
[0081]これより取り付けスタッドに着眼して、別の実施形態は単体軌道スタッドを含んでいる。単体軌道スタッドは、機器を、構造又は車両に取り付けられている図１の軌道１０へ取り付けるのに使用される。単体軌道スタッドは、取付頭部と保定カラーとカラーを備えている。取付頭部は、形状が円形で、ねじの切られた本体をその中心から延ばしている。保定カラー及び摩擦カラーは、ねじの切られた本体上へ回される。カラーはカラー係合面を有している。取付頭部は、取付頭部係合面を有している。取付頭部が軌道１０の中へ挿入されたとき、カラーを時計回りの方向に回転させ、カラー係合面及び取付頭部係合面に軌道１０へ圧力を掛けさせて単体軌道スタッドを軌道１０上で動かないように固定することができる。
【００４２】
[0082]単体軌道スタッドは、機器上の単体軌道スタッド場所の様々な構成を可能にする多目的スタッドである。それらの構成への唯一の制限は、単体軌道スタッド場所が軌道１０側のスロット（即ち、２０、２５、３０）及び開口領域３５と整列していなくてはならないことである。単体軌道スタッドが機器へ固定される場合、保定カラーを反時計回りに回転させて機器に対して圧力を加え、確実に、ねじの切られた本体が使用中に回転して機器から脱することのないようにする。単体軌道スタッドは、軌道１０に対して圧力を加えるために必要な付勢力を提供するばねを含んでいてもよい。
【００４３】
[0083]図１０Ａ及び図１０Ｂは、ユニバーサルアダプタ９９０としてのアダプタの別の実施形態を描いている。受け器溝２０１５が、ユニバーサルアダプタ９９０が受け器溝２
０１５に対応している図１０のさね２０２６を有する機器又は他の物品と滑動連結できるようにしている。受け器溝２０１５は複数の案内９９２ａ及び９９２ｂによって境界付けられている。複数の溝９９２ａ及び９９２ｂはさね２０２６と噛み合い式に連結し、さねはぎ継ぎを模している。受け器機器ロック２０１０がさね２０２６をユニバーサルアダプタ９９０へロックする。受け器機器解放２００５が、矢印２００４によって示されている様に作動させられると、受け器機器ロック２０１０を無効にし、機器又はさね２０２６をユニバーサルアダプタ９９０から滑動式に連結解除できるようにする。受け器ロックピン２０２０は、関連付けられる軌道１０に、より厳密には軌道１０側の対応するロックピン開口６０に係合するための伸展ロック位置に向けて外向きに（例えば、ばね、弾性材料、又は他の付勢手段によって）付勢されることになる。受け器ロックピン２０２０は、受け器取付台解放２０００を使用して引っ込ませることができる。複数の受け器スタッド２０２５がユニバーサルアダプタ９９０の一方の面から外向きに延びている。複数の受け器スタッド２０２５は、ユニバーサルアダプタ９９０を軌道１０、定位板１３０、又は類似の取り付け面へ固定するうえで図７の取り付けスタッド１４０と同様に動作する。レバー２０００は以下に説明されている様にスナッバー機能を作動させる。スナッバー機能は矢印２００２に沿って作動する。
【００４４】
[0084]図１０Ｃは、機器インターフェース１７２の別の実施形態を描いている。機器取り付け孔１７０ａ、１７０ｂ、１７０ｃ、及び１７０ｄが、機器を機器インターフェース１７２に固定するのに使用されている。さね２０２６は図１０Ａの受け器溝２０１５と解放可能に連結するように構成されている。
【００４５】
[0085]図１１は、自己整列式取り付けシステムの楔式取付台４７を描いている。楔式取付台は、取り付け板１３５、後面１６５、前面１９５、及び４つの取り付けスタッド１４０ａ、１４０ｂ、１４０ｃ、及び１４０ｄ（図示せず）を含んでいる。後面１６５は取付台５０の前面１９５とは反対側にある。第１カラー５３が、後面へ連結されていて、皿孔５４を含んでいる。捕捉板５６が、第１カラー５３へ連結されていて、皿孔５４を部分的に覆う鍵穴型スロット孔５７を含んでいる。鍵穴型スロット孔５７は、幅狭端７５と幅広端７０を有している。皿孔５３及び鍵穴型スロット孔５７は降着区域５８と捕捉区域５９を画定している。降着区域５８は、鍵穴型スロット孔５７と皿孔５３がほぼ同じ寸法である所と定義され、捕捉区域５９は鍵穴型スロット孔５７が皿孔５３より小さくなっている所と定義される。楔解放６１が第１カラー５３へ連結されており、楔付勢ばね１０２（図１３）が楔解放６１をロック位置に付勢するために第１カラー５３と楔解放６１の間に連結されている。少なくとも１つの取り付けスタッド（即ち、１４０ａ、１４０ｂ、１４０ｃ、及び１４０ｄ）が前面１９５へ連結されており、各取り付けスタッドは後面１６８から外向きに延びている軸部分と軸部分の遠位端に配置されている拡大頭部分を含んでいる。ロックピン解放１６０が取付台５０へ連結されており、図７を参照すると、取り付け板１３５を貫いて配置されていて伸展位置では後面１６５から外向きに伸びているロックピン１５５を含んでいる。ばね７２０がロックピン１６５を伸展位置に付勢しており、少なくとも１つの被解放ロックピン１６０が動作可能にロックピン１６５へ連結されていて、作動させるとロックピン１６５を取り付け板１３５の中へ引き込み位置へと引き込み、解放するとばね７２０にロックピン１６５を伸展位置に付勢させる。
【００４６】
[0086]図１１及び図１２を参照して、１つ又はそれ以上の締結装置６２ａ、６２ｂ、６２ｃ、及び６２ｄが、捕捉板５６及び第１カラー４３を取り付け板１３５へ固定するのに使用されている。締結装置６２ａ、６２ｂ、６２ｃ、及び６２ｄは、ロックピン解放１６０及び関連部品を取り付け板１３５へ固定するのにも使用されている。４つの締結装置６２ａ、６２ｂ、６２ｃ、及び６２ｄが示されているが、より多い又はより少ない締結装置が使用されていてもよいものと理解されたい。示されている取付台５０は、重量削減及び１つ又はそれ以上の取り付けスタッド１４０の軌道１０のスロット（２０、２５、及び３
０）との係合の観察を支援する「Ｘ字型」形状である。楔式取付台４７は、第２取り付け板２２５と関連付けられる構造の代わりに上述のアダプタとして取り付けられてもよい。
【００４７】
[0087]図１２は楔式取付台４７の第１カラー５３を示している。楔解放６１は、係合面６６の表面積を増加させるために使用されているブレード６４を有している。この面積増加は、楔インターフェース７２（図１４）を皿孔５４内に捕捉板５６の下に保定するのを支援する。楔解放６１は枢動点６７周りに枢動する。図１１を再び参照して、楔解放６１は、楔解放６１をロック解除位置とロック位置の間で作動させるのを支援するハンドル６８を有している。皿孔５４は、楔インターフェース７２を皿孔５４内に設置するときに中心合わせするのに使用される複数の案内壁６３を有している。案内壁６３は、皿孔５４を取り囲んでおり、楔インターフェース７２の中心合わせを容易にするように幾らかの傾斜が付けられていてもよい。
【００４８】
[0088]図１３は、楔式取付台４７の断面図を描いており、当該断面は軌道１０の図１の中央スロット２５の中心を真っ直ぐ下って取られている。楔インターフェース７２は、楔解放６１がロック位置にある状態で楔式取付台４７に着座していることが示されている。被解放楔６１は、ばね１０２によってロック位置に付勢されている。ブレード６４は、楔インターフェース７２の機器板７４の係合トラフ７６に係合している。枢動点６７は、支点として使用されているピン７１と共に示されている。ハンドル６８を矢印Ｔに沿って上向きに作動させれば、楔解放６１をロック位置からロック解除位置へ作動させることになる。ロック解除位置では、図１２を参照すると、ブレードは皿孔５４の底面６９と面一である。図１２と図１３を比較して、捕捉板５６は、楔解放６１の枢動点６７のための保護覆いを提供している。取り付け穴５５ａ及び５５ｂが軌道１０の中央スロット２５にロックピン孔６０ａ及び６０ｂと交互配置されているのが示されている。楔インターフェース７２は、機器板７４に１つ又はそれ以上の締結孔７３ａ、７３ｂ、及び７３ｃを有していてもよい。
【００４９】
[0089]図１３及び図７を参照して、図１３は図７に垂直に視た図である。ロックピン１５５は図１３では引き込み位置に示されているのに対し図７ではロックピン１５５は伸展位置に示されている。
【００５０】
[0090]図１４は、楔インターフェース７２の前面図を描いている。楔インターフェース７２は、機器板７４と、皿７７と、複数の捕捉案内７８ａ及び７８ｂと、楔７９と、を含んでいる。機器板７４は、楔インターフェース７２を機器（図示せず）へ固定するための取り付け点を提供している。機器板７４は、更に、図１１に示されている捕捉板５６の鍵穴型スロット孔５７を捉えるための２つのバリアのうちの一方を提供している。他方のバリアは複数の捕捉案内７８ａ及び７８ｂである。機器板７４と複数の案内７８ａ及び７８ｂの間の捕捉空間８２は、楔インターフェース７２が捕捉板５６と滑動式に係合するのを許すが楔インターフェース７２と捕捉板５６の間の多くの必要以上の動きを許さない公差を有している。楔７９は、機器板７４と複数の捕捉案内７８ａ及び７８ｂの間に位置しており、それらと一体に連結している。楔７９は、鍵穴型スロット孔５７に係合し楔インターフェース７２と楔式取付台４７の回転整列を支援するように構成されている導入面８３を有している。言い換えれば、導入面８３は、確実に、導入面８３が楔インターフェース７２のうちで鍵穴型スロット孔５７の捕捉区域５９に進入できる唯一の部分になるようにすることによって、楔インターフェース７２と楔式取付台４７を回転整列させるように構成されている。楔７９は更に第１斜面８４と第２斜面８５を含んでいる。第１斜面８４と第２斜面８５は、互いに反対側であり、導入面８３へ連結されている。
【００５１】
[0091]図１５は楔インターフェース７２の側面図である。捕捉トラフ７６が皿７７上のノッチとして示されている。退出面８７は皿７７の勾配と同じ角度をなぞる勾配を有して
いる。勾配は皿７７が楔インターフェース７２を図１１に示されている降着区域５８で中心合わせできるようにしている。
【００５２】
[0092]機器を壁へ固定する方法は、医療装置（図示せず）を楔インターフェース７２へ固定する段階を含んでいる。楔インターフェース７２は、機器板７４と、複数の捕捉案内７８ａ及び７８ｂを有する皿７７と、機器板７４と皿７７の間に連結されている楔７９と、を含んでいてもよい。軌道１０、小型軌道１２、又は急速取付軌道１１が、壁（図示せず）又は他の面又は構造へ連結されていてもよい。楔式取付台４７の軌道１０又は１１への取り付けは、楔式取付台４７側の１つ又はそれ以上の取付スタッド１４０ａ、１４０ｂ、１４０ｃ、及び１４０ｄを１つ又はそれ以上のダイヤモンド輪郭の目標領域１３と整列させ、楔式取付台４７をロックピン１５５がロックピン孔６０に係合するロック位置へ滑動式に連結することによって遂げられるようになっていてもよい。楔式取付台４７は後面１６５と前面１９５を有している。楔式取付台４７は、前面１９５へ連結されている第１カラー５３を含んでおり、皿孔５４を含んでおり、捕捉板５６が第１カラー５３へ連結されていて幅広端７０と皿孔５４を部分的に覆う幅狭端７５とを有する鍵穴型スロット孔５７を含んでおり、鍵穴型スロット孔５７の幅広区域７０及び対応する皿孔５４は降着区域５８を画定し、鍵穴型スロット孔５７の幅狭端７５及び対応する皿孔５４は捕捉区域５９を画定している。楔解放６１が第１カラー５３へ連結されている。楔付勢ばね（即ちばね１０２）が、楔解放６１をロック位置に付勢するために第１カラー５３と楔解放６１の間に連結されている。少なくとも１つの取り付けスタッド１４０ａ、１４０ｂ、１４０ｃ、及び１４０ｄが後面１６５へ連結されており、各取り付けスタッド１４０ａ、１４０ｂ、１４０ｃ、及び１４０ｄは後面１６５から外向きに延びている軸部分と軸部分の遠位端に配置されている拡大頭部分を含んでいてもよい。楔インターフェース７２の楔式取付台４７に対する整列は、皿７７を鍵穴型スロット孔５７の幅広端７０を通して降着区域５８へそして皿孔５４の中へ押し入れ、皿孔５４の複数の案内壁６３を皿７７の複数の勾配の付けられた側面に係合させることで、楔インターフェース７２に楔式取付台４７と整列するように強制することによって達成される。機器板７４の楔式取付台４７との連結は、機器板７４の楔７９を鍵穴型スロット孔５７の幅狭端７５の捕捉区域５９の中へ、捕捉板５６が機器板７４と複数の捕捉案内７８の間に固定されるまで滑動式に動かしてゆくことによって達成される。楔インターフェース７２の楔式取付台４７へのロックは、楔付勢ばね（即ちばね１０２）が楔解放６１をロック位置に付勢することによって達成される。楔インターフェース７２の楔式取付台４７からのロック解除は、楔解放６１をロック解除位置へ作動させ、楔インターフェース７２の楔７９を鍵穴型スロット孔５７の幅狭端７５から外へ、捕捉板５６が鍵穴型スロット孔５７の幅広区域７０に入るまで滑動式に動かしてゆくことにより楔インターフェース７２を楔式取付台４７から連結解除することによって達成される。楔インターフェース７２ひいては機器の楔式取付台４７からの取り外しは、皿７７を皿孔５４から引き抜くことによって達成される。皿７７と降着区域５８の整列の目視は必要ないことに留意されたい。勾配の付けられた面又は皿７７の側面は楔インターフェース７２が自身及び機器を降着区域５８で中心合わせできるようにする。捕捉板５６も鍵穴型スロット孔５７を取り囲む勾配の付けられた面のセットを有しており、更に皿７７を降着区域５８の中へ案内する。
【００５３】
[0093]図１６ａは楔インターフェース７２の斜視図を描いている。１つ又はそれ以上の締結孔７３ａ、７３ｂ、及び７３ｃは、以上に説明されている締結装置が楔インターフェース７２を機器へ固定できるように、締結孔に対するテーパ又はレッジ８９を有していてもよい。図１６ｂは、皿７７が取り払われた状態の楔インターフェースの底面図を描いている。第１包含面８４と第２斜面８５は、縦軸Ｖに沿って進むにつれて楔７９の厚さを増加又は減少させている。楔７９の形状は、図１１に示されている鍵穴型スロット孔５７の捕捉区域５９の形状にほぼ一致していよう。従って、楔７９が捕捉区域５９の中へ挿入されてゆくと、第１斜面８４と第２斜面８５のどちらかが最初に鍵穴型スロット孔５７に接
触し、楔インターフェース７２を回転させて楔７９を鍵穴型スロット孔５９の幅狭端７５と整列させるモーメントを提供することになる。楔インターフェース７２を着座させ、楔解放６１をロック位置に入れると、第１斜面８４及び第２斜面８５は鍵穴型スロット孔５７の幅狭端７５の両側面に接触することになる。接触面８１は皿孔５４の底６９に接触することになる。退出面８７は、導入面８３より幅広であり、鍵穴型スロット孔５７の幅狭端７０より幅広である。
【００５４】
[0094]図１７及び図１８は折り畳み式トレイ３５５の斜視図である。折り畳み式トレイ３５５は、取り付け板１３５に平行な収納位置と取り付け板１３５に垂直な使用位置の間で動かすことができるトレイ３４０を組み入れている。トレイ３４０は、例えばラップトップコンピュータの様な物品又は機器を保持、固定、及び／又は支持することができる。使用位置にあるとき、トレイ３４０は使用者が機器を操作できるように機器を位置付けることができる。収納位置にあるとき、トレイ３４０は機器とトレイ自体がどちらも取り付け板１３５に平行に向き付けられ而してよりコンパクトな姿勢になるように位置付けられている。
【００５５】
[0095]図１７及び図１８は、使用位置にある折り畳み式トレイ３５５を描いている。２組の上側腕部３０５及び下側腕部３１０が上側支持体３４５及び下側支持体３５０へ一組のヒンジ３００を介して接続されている。上側腕部３０５及び下側腕部３１０はトレイ３４０へ一組のヒンジ３００を介して接続されていて、トレイ３４０を収納位置と使用位置の両方に支持するのに使用されている。左右のスロット３２５が、トレイ３４０の上側部分３６０へ固着されていて、機器３７０を固定するための一対のカム３３０及び一対の滑り止め付きパッド３２０と関連付けて使用されている。一対の滑り止め付きパッド３２０が当該一対の滑り止め付パッド３２０とスロット３２５の間の摩擦嵌めを通じて機器３７０をその場に引き留めるように使用されている。一対の滑り止め付きパッド３２０は、更に、折り畳み式トレイ３５５を通じて伝わる振動の吸収を可能にさせる動的弾性率を有している。上側腕部３０５及び下側腕部３１０が収納位置から使用位置へ又はその逆に動くのを防止するために一組のロックタブ３１５が使用されている。案内要素３３５がトレイ３４０の下側部分３６５に付着されている。この限定されない実施形態では、案内要素３３５は、コード又は他の物品の挿入を可能にさせる開口スロット３３６付きの長方形部片である。上側支持体３４５及び下側支持体３５０は、取付台５０の取り付け板１３５へ４つの締結具２３０を介して固定されている。この非限定的な実施形態では、締結具２３０は折り畳み式トレイ３５５を取り付け板１３５へ固定するのに使用されるボルトである。上側及び下側の支持体３４５及び３５０は、ヒンジ３００を異なった調節穴３０８へ動かすことによって、トレイ３４０の取り付け板１３５に対しての垂直とは異なる角度を可能にさせるように丁重に調節することができる。
【００５６】
[0096]取り付け板１３５は、図３に示されている取り付けスタッド及びロックピン１５５はもとより各種機器インターフェースを付着させることができる。図１８では、楔インターフェース７２は図１１に示されている楔式取付台４７との解放可能な連結のために取り付け板１３５へ連結されていることが示されている。
【００５７】
[0097]図１９及び図２０は、スイベル式取付台４２０の斜視図である。スイベル式取付台４２０は、スイベル本体４０５とスイベルフレーム４１０を備えている。スイベルフレーム４１０は取付台５０の取り付け板１３５へ付着されている。スイベルフレーム４１０は、スイベル本体４１５へ、長手方向軸に沿って軸方向に整列している２つのヒンジ即ち上側ヒンジ３８０と下側ヒンジ３８５を通じて接続している。上側ヒンジ３８０及び下側ヒンジ３８５は、スイベル本体４０５がスイベルフレーム４１０内で長手方向軸周りに３６０度に及んで回転できるようにしている。スイベル本体４０５は、ロック本体４１５を介して回転をロックされるようになっていてもよい。ロック本体４１５は、摩擦ロックで
あり、ロックハンドル３９０を回転させると摩擦を下側ヒンジ３８５へ加えるねじの切られたロッド（図示せず）を備えている。摩擦が下側ヒンジ３８５へ加えられると、スイベル本体４０５はスイベルフレーム４１０に対して或る角度位置でその場に保持され、スイベル本体４０５を長手方向軸周りの何れかの角度位置にロックできるようにしている。スイベル本体４０５には４つのスイベル取り付け穴４００が配置されている。スイベル取り付け穴４００は、機器４２５をスイベル本体４１０へここに記載のものの様な何れかの締結装置４３０を介して固定するのに使用される。
【００５８】
[0098]図２１は、使用位置にある頭上ＩＶフック６５０を描いている。頭上ＩＶフック６５０は２つのＩＶフック６５５を有している。それらは中心の中心シャフト６７０へロックヒンジ６６５を介して接続されている。ロックヒンジは、２つのＩＶフック６５５を使用位置か又は図２１Ｂに示されている収納位置のどちらかにロックする能力がある。ロックヒンジは、ヒンジの回転要素の窪みの中へ付勢される玉軸受によって又はヒンジ内への密嵌合によって頭上ＩＶフック６５０の現在位置を維持する摩擦を生じさせることによりロックする。解放ばね６６０とカラー６１５と中心の中心シャフト６７０は縦軸Ｖに沿って同軸に整列している。解放ばね６６０がロックヒンジ６６５とカラー６１５の間で付勢されている。中心シャフト６７０は取付頭部６２０へ接続されている。頭上ＩＶフック６５０は、軌道（例えば図１の軌道１０）に当てて押圧され、軌道側の取り付け穴（例えば図１の取り付け穴３５）の１つと整列される。頭上ＩＶフック６５０が軌道に当てて押圧されてゆくと、カラー６１５が解放ばね６００を圧縮し、取付頭部６２０が取り付け穴の中へ突き出たら、頭上ＩＶフック６５０をネックダウン部分（図示せず）の中へ滑り下ろし、解放する。カラー係合面６２５及び取付頭部係合面６３０は軌道を締め付け、頭上ＩＶフック６５０を所定位置へ固定する。
【００５９】
[0099]図２２は、収納位置にある頭上ＩＶフック６５０を描いており、例えば、ＩＶフック６５５は取り付け板（図示せず）に平行な位置へ回転させられている。ロックヒンジ６６５は使用位置（図２１）へ動かされるまで収納位置を維持する。別の実施形態では、ＩＶフック６５５は、ユーティリティフック、捕縛リング、クリート、アイレット、又はフックループ型締結具であってもよい。
【００６０】
[0100]図２３Ａ及び図２３Ｂは、ベルト式取付台６８０及びベルト６８５を有するＩＶバッグＶｅｌｃｒｏ（登録商標）ラップ６７５を描いている。ベルト６８５は、ベルト６８５をブラケット６８０へ付着させるために２つのループ穴８００に通されている。ベルト式取付台６８０は、ベルト式取付台６８０を貫いて配置されているシャフト孔と、少なくとも１つのベルトループ孔６８３と、互いに実質的に平行な複数の押圧腕部６８６と、を含んでいてもよい。第２取付頭部６２０が第２シャフト６８２の遠位端へ連結されている。タブ頭部６２１が第２シャフト６８２の近位端に連結されており、第２シャフト６８２はシャフト孔を通って位置している。第２付勢ばね６２２がタブ頭部６２１とベルト式取付台６８０の間に連結されており、第２付勢ばね６２２は、第２取付頭部６２０をベルト式取付台６８０に対して付勢している。ベルト６８５は少なくとも１つのベルトループ孔６８３を通して連結されており、ＩＶバッグ（図示せず）を固定するのに使用されるものであり、タブ頭部６２１をベルト式取付台６８０に向けて作動させることによって第２解放ばね６２２を圧縮させ、第２取付頭部６２０を外へ複数の押圧腕部６８６より向こうへ伸展させたら、ＩＶバッグＶｅｌｃｒｏ（登録商標）ラップを滑動式に軌道１０側のスロット（２０、２５、及び／又は３０）に係合させられるようになる。
【００６１】
[0101]ベルト６８５は、皮革、ロープ（天然又は合成）、ポリマーの様なプラスチック製品、ビニール又はゴム、及び薄いアルミニウム帯の様な金属製品、を含む何れの種類のしなやかな材料から作られていてもよい。ベルト６８５は輪にして、固定条片６９０を使用して固定される。好適な実施形態では、固定条片６９０はフック又はループ（例えばＶ
ｅｌｃｒｏ（登録商標））とされているが、ボタンやスナップなどの様な他の型式の締結具とすることもできる。ＩＶバッグＶｅｌｃｒｏ（登録商標）ラップ６７５は、図２１及び図２２に見られる頭上ＩＶフックに関連付けて使用されてもよいし、それとは関連付けずに使用されてもよい。ＩＶバッグＶｅｌｃｒｏ（登録商標）ラップは、ＩＶバッグ（図示せず）がだらしなく吊り下がらないように固定するのに使用される。ＩＶフック６５０は、図１からの軌道１０又は図３８の小型軌道１２又は図２８からの急速取付軌道１１と、ＩＶバッグＶｅｌｃｒｏ（登録商標）ラップ６７５と、ＩＶフック６５０と、を含むキットの一部とすることもできる。
【００６２】
[0102]図２４は、軌道面１７０１及び機器面１７０２を有するレール１７２０と、レール１７２０へ連結されている複数の取付スタッド１４０ａ及び１４０ｂと、を含む機器軌道取付台１７００を描いている。複数の取り付けスタッド１４０ａ及び１４０ｂの各々は、軌道面１７０１から外向きに延びている軸部分とそれぞれの軸部分の遠位端に配置されている拡大頭部分を含んでいる。１つ又はそれ以上のねじの切られたロッド１７１０ａ及び１７１０ｂが機器面１７０２へ連結されており、ロックピン１５５がレール１７２０を貫いて配置されていて伸展位置では軌道面１７０１から外向きに伸びている。ロック付勢ばね（図示せず）がロックピン１５５を伸展位置に付勢するのに使用されている。制御ノブ１７１５が機器面１７０２へ連結されていて、ロックピン１５５へ動作可能に連結されており、作動させるとロックピン１５５をレール１７２０の中へ引き入れ、解放するとロック付勢ばねにロックピン１５５を伸展位置に付勢させる。
【００６３】
[0103]機器軌道取付台１７００は、各種機器を軌道システムへ固定するのにそれら機器上に使用することのできるユニバーサル取付台である。機器軌道取付台１７００は、図１の軌道１０又は図３８の小型軌道１２又は図２８Ａの急速取付軌道１１の第１外側スロット２０及び第２外側スロット３０に係合するようにレール１７２０上に位置付けられている２つの取り付けスタッド１４０ａ及び１４０ｂを有している。代わりのやり方では、各取り付けスタッド１４０ａ及び１４０ｂは、機器軌道取付台１７００を軌道１０又は小型軌道１２又は急速取付軌道１１上に縦か横のどちらかで固定させられるように均等に離間されている。好適な実施形態ではスタッド１７１０はねじを切られている。付着点１７２５は、機器（図示せず）の付着が、ねじ、ボルト、スタッド、糊、支柱及びコッターピン、又はリベットを含む従来の手段によって達成されているレール１７２０の区域である。好適な実施形態では、スタッド１７１０は機器を単体軌道取付台７００へナットによって固定させられるようにするねじの切られたスタッドである。
【００６４】
[0104]図２５は、保定フック７６０と機器軌道取付台１７００を描いている。支持板７５０が機器軌道取付台１７００へねじ７５５ａ及び７５５ｂによって付着されている。保定フック７６０、フック７７０、及び受け座７７５が、ＩＶバッグ（図示せず）又はバッグの取っ手若しくはロープの様な紐条の材料を捕捉し、その重量を支持する。保定クリップ７６５は、確実にＩＶバッグがフック７００から滑って外れることのないようにするために使用されていて、フック７７０の基部７７１にヒンジ式に連結されている。保定フック７５０は、フック７００の上を滑って保定クリップ７６５の下の受け座７７５内に納まるのに適正な寸法の輪を有する何れの物品を垂らすこともできる。
【００６５】
[0105]別の実施形態では、二重取付板（図示せず）が機器軌道取付台１７００のねじの切られたロッド１７１０ａ及び１７１０ｂへ連結されている。二重取付板は、２つ又はそれ以上の保定フック７６０を並列に位置付けている板材料とすることができる。これは、２つ以上の物品を吊るせるようにし、或いは代わりに紐状の材料を両方のフックに通すことによって１つの重い物品を吊るすことを可能にさせるはずである。
【００６６】
[0106]更に別の実施形態では、業務用照明具又は電灯組立体が機器軌道取付台１７００
へ固定されて閉鎖された区域中に照明を提供する。業務用照明具は、クランプと業務用照明具又は電灯組立体の可撓性首部へ差し込まれている支柱（図示せず）を介して電灯組立体取付台へ付着される。電灯組立体取付台は、ねじの切られたロッド１７１０ａ及び１７１０ｂ上の２つのナットの使用を介して機器軌道取付台へ付着される。業務用照明具実施形態は照明具に限定されない。可撓性首部は、照明具の他にも、例えば拡大鏡、懐中電灯、鏡、反射器、又は別の器械を保持するためのクリップや爪の様な、他の器械の付着を許容することができる。
【００６７】
[0107]図２６は、マスト８０５の一番上に保定フック７５０を有するＩＶバッグ取付台７８０を描いている。マスト８０５は、図２３からのＩＶバッグＶｅｌｃｒｏ（登録商標）ラップ６７５のブラケット６８０へ付着されていてもよい。マストは機器軌道取付台７００へ付着されていてもよい。ＩＶバッグ（図示せず）は保定フック７５０から吊り下げられ、マスト８０５に当てて、２つのループ穴８００を通されたベルト６８５と固定条片６９０を介して固定される。
【００６８】
[0108]図２７は、複数の目標開口領域９００及び非目標開口領域９０２を有する軌道１０を描いている。第１外側スロット２０及び第２外側スロット３０は、図３の取り付けスタッド１４０又は類似のスタッド例えば図２１の第２取付頭部６２０に適合する目標開口領域９００を含んでいてもよい。幾つかの実施形態では、目標開口領域９００は、機器を付着させた取付台５０が、取り付けスタッド１４０と図１の開口領域３５との視線整列の必要性無しに、滑動式に軌道１０と連結できるようにしている。目標開口領域９００は、直径及び／又は寸法が非目標開口領域９０２より大きく、取付台５０の軌道１０に対する向き付けにおけるより大きな可変性を許容しながらもなお軌道１０と取付台５０の間の正確な係合を可能にする。代わりの実施形態（図示せず）では、軌道１０は非目標開口領域９０２を含んでいない。それは、軌道２０及び３０に沿った或る特定数の目標開口領域９００と当該特定数の目標開口領域９００の間に走っているネックダウン領域しか含んでいない。この実施形態の一例が図２８Ａ及び図２８Ｂに見られる。
【００６９】
[0109]図２８Ａ及び図２８Ｂは急速取付軌道１１を描いている。急速取付軌道１１は、中央スロット２５、第１外側スロット２０、及び第２外側スロット３０を有する裏打板１５を含んでいる。第１外側スロット２０及び第２外側スロット３０は、図３のｔ字形状スタッド又は取り付けスタッド１４０の丸い頭部が裏打板１５に対して角度を成して第１外側スロット２０及び第２外側スロット３０に係合できるようにしている複数のダイヤモンド輪郭の目標領域１３を備えている。中央スロット２５は裏打板１５に複数のロックピン孔６０（例えば６０ａ及び６０ｂ）を有している。ロックピン孔６０は複数のダイヤモンド輪郭の目標領域１３と横方向に整列している。複数のダイヤモンド輪郭の目標領域１３は、図３の取付台５０を図１の軌道１０の開口領域３５に対して確認しながら整列させることができないことから起こる或る程度の整列不良があっても、取付台５０を急速取付軌道１１へ取り付けられるようにしている。取付台５０が急速取付軌道１１に対して僅かに回転していても、なお取り付けスタッド１４０は複数のダイヤモンド輪郭の目標領域１３に係合するはずである。取り付けスタッド１４０が複数のダイヤモンド輪郭の目標領域１３の中へ挿入されてゆくと、取付台５０は急速取付軌道１１と平行になるように整列しようとする。言い換えれば、複数のダイヤモンド輪郭の目標領域１３は、取付台５０の多少の回転を許容し、なおも第１外側スロット２０及び第２外側スロット３０の首尾よい係合を可能にする。
【００７０】
[0110]また、複数のダイヤモンド輪郭の目標領域１３は、取付台５０を裏打板１５に対して角度を成して急速取付軌道１１の中へ挿入させられるようにするはずである。言い換えれば、使用者は、取り付けスタッド１４０ａ及び１４０ｂを最初に第１外側スロット２０の中へ挿入したうえで、取り付けスタッド４０ｃ及び１４０ｄが第２外側スロット３０
に係合するように取付台５０をロック又は整列させることができる。これは、機能的に、使用者が第２の使用者の手助けを必要とする重い又は嵩張る機器を取り付けることを可能にさせ、また取付台５４の裏打板１５に対する多少の整列不良（回転と角度の両方）を許容する。裏打板１５は、更に、締結具が急速取付軌道１１を面、壁、又は構造体へ固定するのを可能にさせる複数の取り付け場所１７を有していてもよい。
【００７１】
[0111]図２９は、複数のロック穴９０５を有する軌道１０を描いている。図１に示されている中央スロット２５は、複数のロック穴９０５と置き換えられて、図３のロックピン１５５を個別のロック穴９０５に滑動式に連結して取付台５０を軌道１０へ固定させられるようにしている。幾つかの実施形態では、第１外側スロット２０及び第２外側スロット３０は図２７に示されている複数の目標開口領域９００を有していてもよいが、それらは必須ではなく、また図２８Ａ及び図２８Ｂに示されている複数のダイヤモンド輪郭の目標領域１３である必要もない。
【００７２】
[0112]図３０は図１に示されている中央スロット２５無しの軌道１０を描いている。第１外側スロット２０及び第２外側スロット３０が複数の目標領域９００を有しているが、それらは図２７に示されている通りである必要もなければ図２８Ａ及び図２８Ｂに示されているダイヤモンド輪郭の目標領域１３である必要もない。平坦面９１０は、図７のロックピン１５５が付勢力を均一的な表面へ加えて取り付けスタッド１４０と第１外側スロット２０及び第２外側スロット３０のネックダウン領域４０の間に干渉を作り出せるようにしている。付勢力は、取付台５０を軌道１０から分離させる力を働かせる。スロット（２０、２５、及び３０）を押し付ける取り付けスタッド１４０の干渉嵌め又は摩擦嵌めが、２つの部品をそれら部品の一体押圧後に摩擦によって締結する締結装置になっている。また、以下図３７に概略説明されているスナッバー機能は、更に、取付台５０を図３０の軌道１０へ固定するための必要な力を提供する。
【００７３】
[0113]図３１は、図１の軌道１０又は図３８の小型軌道１２又は図２８の急速取付軌道１１を組み入れている壁組立体２０５０を描いている。軌道１０は複数のタブ２０７０ａ及び２０７０ｂを含んでいてもよい。複数のタブ２０７０ａ及び２０７０ｂは、軌道１０の長辺寸法を走っていることが示されているが、複数のタブ２０７０ａ及び２０７０ｂは更に軌道１０の短辺寸法を走っていてもよい。複数のタブ２０７０ａ及び２０７０ｂは、壁覆い材２０５５を支持し、壁覆い材２０２５を裏打板１５の表面２０７８と面一に保つことができる。壁覆い材２０５５は、何れの材料で作られていてもよく、複数のタブ２０７０ａ及び２０７０ｂへ、溶接、接着剤、又は以上に説明されている締結装置を通じて締結することができる。外側壁覆い材２０６０も何れの材料で作られていてもよく、支持構造２０８０へ、溶接、接着剤、又は以上に説明されている締結装置を通じて締結することができる。支持構造２０８０は裏打板１５へ連結されていて、裏打板１５と壁覆い材２０５５及び外側壁覆い材２０６０を支持するための強度と剛性を提供している。支持構造２０８０は、より大きな壁組立体２０５０の一部又はフレームであってもよい。第１外側チャネル２０７１、中央チャネル２０７２、及び第２外側チャネル２０７２は、支持構造２０８０の一部であり、壁組立体２０５０によって提供される電気配線、配管系統、及び他のサービスのための導管を提供することができる。
【００７４】
[0114]裏打板１５は表面２０７８と裏面を有し、表面は裏面の反対側である。裏打板１５は、複数の開口領域及び当該複数の開口領域を接続しているネックダウン領域を有する第１外側スロット２０、複数の開口領域及び当該複数の開口領域を接続しているネックダウン領域を有する第２外側スロット３０、及び裏打板に複数のロックピン孔を有する中央スロット２５、を含んでおり、ロックピン穴は第１外側スロット２０及び第２外側スロット２５の複数の開口領域と横方向に整列している。裏打板１５は、更に、第１壁覆い材２０５５を裏打板１５の表面２０７８と面一に支持するための裏打板１５の第１外側縁に沿
った第１トリムタブ２０７０ａと、図３２の第２壁覆い材２０５５ｂを裏打板１５の表面２０７８と面一に支持するための裏打板１５の第２外側縁に沿った第２トリムタブ２０７０ｂと、を含んでいる。裏打板１５の裏面へは、壁組立体２０５０のための支持を提供する支持構造２０８０が連結されており、壁組立体２０５０は、第１壁覆い材２０５５、第２壁覆い材、及び外側壁覆い材２０６０、を支持するための構造を含んでいる。
【００７５】
[0115]図３２は壁２０４０を描いている。軌道１０ａ、１０ｂ、１０ｃ、１０ｄ、及び１０ｅは、壁２０４０に取り付けられることになる機器の型式及び数に依存する何れかの所望の間隔で壁２０４０に沿って離間されている。壁は、一体につなげられた複数の壁組立体２０５０を備えている。壁覆い材２０５５ａ、２０５５ｂ、２０５５ｃ、２０５５ｄ、２０５５ｅ、及び２０４４ｆは軌道１０ａ、１０ｂ、１０ｃ、１０ｄ、及び１０ｅに一体に連結されている。壁覆い材２０５５ａ、２０５５ｂ、２０５５ｃ、２０５５ｄ、２０５５ｅ、及び２０４４ｆは、軌道１０ａ、１０ｂ、１０ｃ、１０ｄ、及び１０ｅのための構造的支持を提供することができるが、それらは、構造的支持２０８０ａ、２０８０ｂ、２０８０ｃ、２０８０ｄ、及び２０８０ｅが壁２０４０の支持体としての基礎を提供していることから必須ではないことに留意されたい。
【００７６】
[0116]図３３は、図３２の壁２０４０上に使用するためのキャビネット２１００を描いている。キャビネット２１００は、物品を収納するために壁２０４０に沿って使用される。
【００７７】
[0117]図３４はキャビネット２１００の裏側２１０５を描いている。複数の鍵穴２１０８ａ、２１０８ｂ、２１０８ｃ、及び２１０８ｄが、以上に図９に関連して説明されている単体軌道スタッドに係合するために使用されている。単体軌道スタッドは、それらがキャビネット２１００の裏側２１０５の複数の鍵穴２１０８ａ、２１０８ｂ、２１０８ｃ、及び２１０８ｄに係合するように位置付けられる限り、図３２の軌道１０ａ、１０ｂ、１０ｃ、１０ｄ、及び１０ｅに沿ってどこに位置付けられてもよい。
【００７８】
[0118]以上に説明されている様に、図３の取付台５０、図８のアダプタ、又は図１１の楔式取付台４７は、キャビネット２１００又は図３６のケース２１１０を軌道１０へ固定するのに使用することができる。
【００７９】
[0119]図３５は図３２の壁２０４０へ取り付けられているキャビネット２１００を描いている。この実施形態では、軌道１０ａ及び１０ｂは、単体軌道スタッド又は類似物が図３４に示されているキャビネット２１００の複数の鍵穴２１０８ａ、２１０８ｂ、２１０８ｃ、及び２１０８ｄに係合できるように離間されている。壁覆い材２０５５ａ、２０５５ｂ、及び２０５５ｃは、壁２０４０及びキャビネット２１００のための面一表面を提供する。
【００８０】
[0120]図３６は、車両室（vehicle cab）２２００を描いている。この実施形態では、
支持構造２０８０は車両室２２００のためのフレームワークを提供している。車両室２２００へ追加の強度と剛性を加増するべく横部材２０８１が支持構造２０８０の間に足されている。支持構造は図３１に示されている軌道１０へ連結されており、壁覆い材２０５５は各軌道１０間距離を橋渡しして車両室２２００のための面一の内側表面を提供している。キャビネット２１００が、そして同様にケース２１１０が、軌道１０に取り付けられていることが示されている。ケースは更にその裏側に複数の鍵穴を含んでおり、キャビネット２１００と同様の様式で軌道へ取り付けられる。
【００８１】
[0121]車両室２２００が示されているが、何れの壁囲い空間が図３１の壁組立体２０５０を組み入れていてもよいものと理解されたい。また、軌道１０は、車両室２２００内に
縦で示されているが、それらは同様に横に走っていてもよく、支持構造２０８０の代わりに横部材２０８１を使用していてもよい。車両室２２００を覆うのに外側壁覆い材２０６０も使用されていてもよい。
【００８２】
[0122]図３、図１０Ｂ、図１１、及び図３７を参照して、１つの実施形態では、ロックピン解放１６０ａ及び１６０ｂと楔解放６１はスナッバー機能を含んでいてもよい。スナッバー機能はロックピン解放１６０ａ及び１６０ｂと楔解放６１が取付台５０と軌道１０の間の何らかのあそびを埋められるようにする。取付台５０の軌道への取り付け及び軌道からの取り付け解除の容易化のために、取り付けスタッド１４０とスロット（２０、２５、及び３０）の間の公差は緩い若しくはあまりきつくない。従って、取付台５０は、取り付けられたとき、軌道１０、小型軌道１２、又は急速取付軌道１１上で、がたついたり揺れたりするかもしれない。スナッバー機構は取付台５０と軌道１０の間に圧力を加えるプランジャー（図１０Ｂの２０２０）を使用しているか、又はスナッバー機構は取り付けスタッド１４０を取り付け板１３５の中へ引き込んで取付台５０と軌道１０の間の緩い公差を埋めさせるようにしている。
【００８３】
[0123]次に図３７を参照して、楔式取付台４７は、ロックピン解放１６０ａ及び１６０ｂ（１６０）が単一ユニットであり中心軸周りに回転するようになっているものとして示されている。ロックピン解放１６０は、ロック位置１３３とロック解除位置１３１を有している。ロック解除位置１３１では、ロックピン解放１６０は、軌道１０に向けて作動させるも、取付台５０を軌道１０から上述の様に解放するべく軌道１０から離れるように作動させるも自由である。ロック位置１３３では、ストッパ１２８がロックピン１６０の近づけ運動及び遠ざけ運動を阻止する。ロックピン解放１６０をロック解除位置１３１からロック位置１３３へ作動（回転）させてゆくと、以上にスナッバー機能の中で説明されている様に、カム（図示せず）がプランジャー（図示せず）を軌道１０に押し付けて取付台５０と軌道１０の間の緩い交差を埋めさせるか、又はカムが取り付けスタッドを取り付け板１３５の中へ引き込んでゆく。
【００８４】
[0124]また、別の実施形態では、ブレード６４は図１２のブレード６４とは異なった形状を有しており、係合面６６も同様である。図３７のブレード６４及び係合面６６の幅狭形状は、楔解放６１が、破壊されること無くより大きな衝撃荷重を吸収できるようにし、また幅狭の楔インターフェース（図示せず）に合わせられるようにする。
【００８５】
[0125]図３８は、図１０Ａ及び図１０Ｂのユニバーサルアダプタ９９０の別の実施形態を描いている。複数の鍵穴型スロット孔２０１２ａ、２０１２ｂ、及び２０１２ｃが機器取付台１７２（図示せず）を受け入れるものとして示されており、機器取付台１７２の様々な実施形態は以上に説明されている。受け器機器解放２００５は機器取付台１７２をユニバーサルアダプタ９９０から、鍵穴型スロット孔２０１２ａ、２０１２ｂ、及び２０１２ｃそれぞれの空洞内の一組の開放ピン（図示せず）を通じて解放する。パドルラッチ２０１１がプルアウトピン２０１３を作動させてユニバーサルアダプタ９９０を小型軌道１２から解放させる。プルアウトピン２０１３は、図３のロックピン１５５と同様に動作する。
【００８６】
[0126]小型軌道１２は図１の軌道１０の別の実施形態である。小型軌道１２は、より小さい荷重が表面、壁、又は構造体へ取り付けられることを可能にする。
[0127]図３９Ａ及び図３９Ｂは急速解放クリップ３０００を描いている。急速解放クリップ３０００は、アイレット孔３００３を有するアイレット構造２００５を有している。アイレット孔３００３は紐状材料を急速解放クリップ３０００から吊るせるようにしており、ラッチ、クリップ、ロープ、は類似の材料、カラビナ、など、を急速解放クリップ３０００と連結できるようにしている。足部構造３００８は、図３の２つの取り付けスタッ
ド１４０を図１の軌道１０の隣り合う開口領域３５に入れたとして、当該２つの取り付けスタッド１４０のフットプリントを模している。クリップピン３０２５は、足部構造３００８に向けて付勢されており、ロックピン１５５を模している。ハンドル３０２０は、クリップピン３０２５を足部構造３００８から引き離して急速解放クリップ３０００を軌道１０から解放させることを可能にする。複数の窪み３０１５ａ及び３０１５ｂはクリップピン３０１５が急速解放クリップ３０００を２つのネックダウン領域４０の間にロックできるようにしている。言い換えれば、急速解放クリップ３０００が異相位置（図５参照）にあるとき、隣り合うネックダウン領域４０は複数の窪み３０１５ａ及び３０１５ｂを占めている。クリップピン３０２５は、両側のクリップピン３０２５ａ及び３０２５ｂ並びに両側のハンドル３０２０ａ及び３０２０ｂを含んでおり、それらは全て一体に１つの部片として動く。
【００８７】
[0128]急速解放クリップ３０００が軌道１０の中へ同相配列に挿入されたとき、クリップピン３０２５は軌道１０の表面に接触するが開口領域３５を占めない。急速解放クリップ３０００を異相配列へ滑らせてゆくと、クリップピン３０２５が開口領域３５の中へ伸びるように付勢され、それにより急速解放クリップ３０００を軌道１０へロックする。
【００８８】
[0129]本願を通しての使用に際し、取り付けスタッド１４０は、異なった取付構成を実施形態全ての間で使用できるようにするために、さね１８０と置き換えられてもよいものと認識されたい。軌道１０及びモジュール式の板１０５は適用に依存して変わり得る。取り付けスタッド１４０又は軌道スロット２０、２５、３０の数もまた適用及び荷重の考慮事項に依存して変わり得る。また、ここに開示されている実施形態全ては、例えば、軌道１０、定位板１３０、取付台５０を含め、アルミニウム、鋼、プラスチック、ゴム、鋳物、又は類似の材料から作ることができる。
【００８９】
[0130]更に評価しておきたいこととして、軌道システムは、軌道システムの多数の構成要素が相互交換可能になっているモジュール式であってもよく、そうすれば組立時間、複雑性、及び費用を軽減できる。その様な軌道システムのモジュール性は、特定の状況に対するより迅速で流れるような応対を可能にさせ、場合によっては成果を改善することができる。軌道システム構成は、多種多様な車両及び／又は他の機器での使用を可能にし、而して相互交換性及び柔軟性の恩恵を提供する。ここに説明されている軌道システムの別の恩恵は、軌道システムを触覚だけによって（即ち感触だけで）用いられるようにしたことで、使用者が１台又はそれ以上の機器を殆ど若しくは全く視界の効かない状態で設置、取り外し、及び／又は再構成できるようになることである。
【００９０】
[0131]更に評価しておきたいこととして、軌道１０、小型軌道１２、及び急速取付軌道１１は、取り付けスタッドの異なった寸法及び異なった構成に適合するようにスケール可能である。例えば、標準寸法は、２５．４ｍｍ（１インチ）中心で１９．０５ｍｍ（３／４インチ）穴（図１の開口領域３５）としてもよい。軌道１０、小型軌道１２、又は急速取付軌道１１は、５０．８ｍｍ（２インチ）中心で３８．１ｍｍ（１．５インチ）穴へ増加されていてもよい。代わりに、軌道１０、小型軌道１２、又は急速取付軌道１１は、図３８の小型軌道１２に対応させた１２．７ｍｍ（１／２インチ）中心で９．５ｍｍ（３／８インチ）穴へ減少されていてもよい。
【００９１】
[0132]幾つかの実施形態では、印刷又は塗装された標識及び／又は触覚標識（例えば場所指示器）が軌道システムと共に使用されていてもよい。例えば、場所指示器は、軌道１０に平行して又は軌道１０上に均等に設置されていてもよい。幾つかの実施形態では、殆ど若しくは全く視界の効かない状態でのアンテナ取付台１００の高速調節を可能にするために軌道１０上にマーカーが設置されていてもよい。標識は軌道１０上又は軍用車両３００上に配置させることができる。
【００９２】
[0133]軌道システムは、十分な強度の何れの材料から作られていてもよい。それは一片の材料又は鋳造物から作ることもできよう。取り付け板側のスタッド及び軌道側の開口部は、システムの製造に使用される機器及び材料によって要求される所望の強度に到達するために必要に応じて増加又は減少させればよい。
【００９３】
[0134]評価しておきたいこととして、このシステムは機器を車両又は他の機器へ取り付けるのに工具を要しない。以上に述べられている様に、その使用及び据え付けの容易さは、昼間の運用であろうと夜間の運用であろうと機器の取り付けを可能にするはずである。軌道システムは、暗闇の中でも急速解放が見つけられるように及び照明が殆ど無い若しく皆無の条件下に機器を動かしたり取り外したりできるように設計されている。
【００９４】
[0135]「実質的に」及び「約」という用語は、ここでは、何れかの量的比較、数値、測定値、又は他の表現、に起因する特有の不確定度を表すのに用いられていることを指摘しておく。これらの用語は、更に、ここでは、量的表現が、表明されている基準から、問題になっている主題の基本的機能に変化を生じさせることなく変動し得る程度を表すのにも用いられている。
【００９５】
[0136]或る特定の用語法が開示中に使用されているが便宜上使用されているだけであって限定を課すものではない。「左」、「右」、「前」、「後」、「上」、「下」という語は、参照先の図面中の方向を指定している。用語法は、以上に指摘されている語並びにそれらの派生語及び同様の意味の語を含む。具体的な実施形態がここに示され説明されてきたが、特許請求の範囲に記載の主題の精神及び範囲から逸脱することなく様々な他の変更及び修正がなされ得るものと理解されたい。また、特許請求の範囲に記載の主題の様々な態様がここに説明されてきたが、その様な態様は組み合わせて利用される必要はない。従って、付随の特許請求の範囲は、特許請求の範囲に記載の主題の範囲に入るその様な変更及び修正を網羅するものとする。
【符号の説明】
【００９６】
１０  軌道
１１  急速取付軌道
１２  小型軌道
１３  ダイヤモンド輪郭の目標領域
１５  裏打板
１７  取り付け場所
２０  第１外側スロット
２５  中央スロット
３０  第２外側スロット
３５  拡大開口領域
４０  ネックダウン領域
４７  楔式取付台
５０  取付台
５３  第１カラー
５４  皿孔
５５  取り付け孔
５６  捕捉板
５７  鍵穴型スロット孔
５８  降着区域
５９  捕捉区域
６０  ロックピン開口
６１  楔解放
６２  締結装置
６３  案内壁
６４  ブレード
６６  係合面
６７  枢動点
６８  ハンドル
６９  皿孔の底面
７０  鍵穴型スロット孔の幅広端
７１  ピン
７２  楔インターフェース
７３  締結孔
７４  機器板
７５  鍵穴型スロット孔の幅狭端
７６  係合トラフ
７７  皿
７８  捕捉案内
７９  楔
８１  接触面
８２  捕捉空間
８３  導入面
８４  第１斜面
８５  第２斜面
８７  退出面
８９  テーパ又はレッジ
１０２  楔付勢ばね
１２８  ストッパ
１３０  定位板
１３１  ロック解除位置
１３３  ロック位置
１３５  取り付け板
１４０  取り付けスタッド
１４５  軸部分
１５０  拡大頭部分
１５５  ロックピン
１６０  ロックピン開放（レバー）
１６５  取付台の後面
１７０  機器取り付け穴（孔）
１７２  機器インターフェース
１７５  ハウジング
１８５  スタッドナット
１９０  解放機構
１９５  取付台の前面
２１０  ロックピン解放
２１５  第２ロックピン
２２０  鍵穴
２２５  第２取り付け板
２３０  締結具
２４０  第２取り付け板の第１面
２４５  第２取り付け板の第２面
２５０  面取付台
３００  ヒンジ
３０５  上側腕部
３０８  調節穴
３１０  下側腕部
３１５  ロックタブ
３２０  滑り止め付きパッド
３２５  左右のスロット
３３０  カム
３３５  案内要素
３３６  開口スロット
３４０  トレイ
３４５  上側支持体
３５０  下側支持体
３５５  折り畳み式トレイ
３６０  トレイの上側部分
３７０  機器
３８０  上側ヒンジ
３８５  下側ヒンジ
３９０  ロックハンドル
４００  スイベル取り付け穴
４０５  スイベル本体
４１０  スイベルフレーム
４１５  ロック本体
４２０  スイベル式取付台
４３０  締結装置
６１５  カラー
６２０  取付頭部
６２１  タブ頭部
６２２  第２付勢ばね
６２５  カラー係合面
６３０  取付頭部係合面
６５０  頭上ＩＶフック
６５５  ＩＶフック
６６０  解放ばね
６６５  ロックヒンジ
６７０  中心シャフト
６７５  ＩＶバッグＶｅｌｃｒｏ（登録商標）ラップ
６８０  ブラケット
６８２  第２シャフト
６８３  ベルトループ孔
６８５  ベルト
６８６  押圧腕部
６９０  固定条片
７００  単体軌道取付台
７１０  ロックピンの遠位端
７１５  ハウジング
７２０  ばね
７２５  引き上げピン
７３０  傾斜路部分
７３５  戻しばね
７５０  支持板
７５５  ねじ
７６０  保定フック
７６５  保定クリップ
７７０  フック
７７１  基部
７７５  受け座
７８０  ＩＶバッグ取付台
８００  ループ穴
８０５  マスト
９００  ロックピン
９００  目標開口領域
９０２  非目標開口領域
９０５  ロックピン孔
９１０  平坦面
９８０  接続板
９８１  ロックピン孔
９８２  接続面
９９０  ユニバーサルアダプタ
９９２  案内
１１１０、１１１５  通路
１１５５  取り付けスタッド
１１６０、１１７５  ロックピン解放
１５００  ロックピン
１５１０  取り付けスタッドの軸部分
１５１５  取り付けスタッドの拡大頭部分
１６２５  開口領域
１６１０、１６１５、１６２０  スロット
１６３０  ネックダウン領域
１７００  機器軌道取付台
１７０１  軌道面
１７０２  機器面
１７１０  ロッド
１７１５  制御ノブ
１７２０  レール
１７２５  付着点
１８００  拡大頭部開口
１８２５  ネックダウン領域
２０００  受け器取付台解放、レバー
２００５  受け器機器解放
２０１０  受け器機器ロック
２０１１  パドルラッチ
２０１２  鍵穴型スロット孔
２０１３  プルアウトピン
２０１５  受け器溝
２０２０  受け器ロックピン、プランジャー
２０２５  受け器スタッド
２０２６  さね
２０４０  壁
２０５０  壁組立体
２０５５  壁覆い材
２０６０  外側壁覆い材
２０７０  トリムタブ
２０７１、２０７２、２０７３  チャネル
２０７８  裏打板の表面
２０８０  支持構造
２０８１  横部材
２１００  キャビネット
２１０５  キャビネットの裏側
２１０８  鍵穴
２１１０  ケース
２２００  車両室
３０００  急速解放クリップ
３００３  アイレット孔
２００５  アイレット構造
３００８  足部構造
３０１５  窪み
３０２０  ハンドル
３０２５  クリップピン
【図１】
2018048741.tif 000003
【図２】
2018048741.tif 000004
【図３】
2018048741.tif 000005
【図４】
2018048741.tif 000006
【図５】
2018048741.tif 000007
【図６】
2018048741.tif 000008
【図７】
2018048741.tif 000009
【図８】
2018048741.tif 000010
【図９】
2018048741.tif 000011
【図１０Ａ】
2018048741.tif 000012
【図１０Ｂ】
2018048741.tif 000013
【図１０Ｃ】
2018048741.tif 000014
【図１１】
2018048741.tif 000015
【図１２】
2018048741.tif 000016
【図１３】
2018048741.tif 000017
【図１４】
2018048741.tif 000018
【図１５】
2018048741.tif 000019
【図１６Ａ】
2018048741.tif 000020
【図１６Ｂ】
2018048741.tif 000021
【図１７】
2018048741.tif 000022
【図１８】
2018048741.tif 000023
【図１９】
2018048741.tif 000024
【図２０】
2018048741.tif 000025
【図２１】
2018048741.tif 000026
【図２２】
2018048741.tif 000027
【図２３Ａ】
2018048741.tif 000028
【図２３Ｂ】
2018048741.tif 000029
【図２４】
2018048741.tif 000030
【図２５】
2018048741.tif 000031
【図２６】
2018048741.tif 000032
【図２７】
2018048741.tif 000033
【図２８Ａ】
2018048741.tif 000034
【図２８Ｂ】
2018048741.tif 000035
【図２９】
2018048741.tif 000036
【図３０】
2018048741.tif 000037
【図３１】
2018048741.tif 000038
【図３２】
2018048741.tif 000039
【図３３】
2018048741.tif 000040
【図３４】
2018048741.tif 000041
【図３５】
2018048741.tif 000042
【図３６】
2018048741.tif 000043
【図３７】
2018048741.tif 000044
【図３８】
2018048741.tif 000045
【図３９Ａ】
2018048741.tif 000046
【図３９Ｂ】
2018048741.tif 000047
【手続補正書】
【提出日】平成29年11月9日(2017.11.9)
【手続補正１】
【補正対象書類名】特許請求の範囲
【補正対象項目名】全文
【補正方法】変更
【補正の内容】
【特許請求の範囲】
【請求項１】
取付台アダプタにおいて、
取付台であって、
互いに反対側の後面と前面を有する第１取り付け板と、
前記第１取り付け板の前記後面へ連結されている少なくとも１つの取り付けスタッドであって、それぞれが前記後面から外向きに延びている軸部分と前記軸部分の遠位端に配置されている拡大頭部分とを含んでいる前記少なくとも１つの取り付けスタッドと、
前記第１取り付け板の前記前面へ連結されている解放機構であって、
前記第１取り付け板を貫いて配置されていて伸展位置では前記後面から外向きに伸びているロックピン、
前記ロックピンを前記伸展位置に付勢しているロック付勢ピン、及び
前記ロックピンへ動作可能に連結されている少なくとも１つのロックピン解放部であって、作動させると前記ロックピンを前記取り付け板に向けて引き込み位置へと引き込み、解放すると前記ロック付勢ばねに前記ロックピンを前記伸展位置に付勢させる前記少なくとも１つのロックピン解放部、を備えている解放機構と、を備えている前記取付台と、
前記第１の取り付け板の前記前面へ連結されているアダプタであって、機器の機器インターフェースと解放可能に連結する前記アダプタと、を備え、
前記アダプタは、
互いに反対側の第１面と第２面を有する第２取り付け板と、
前記第２面へ連結されている第２解放機構であって、
前記第２取り付け板を貫いて配置されていて伸展位置では前記第１面から外向きに伸びている第２ロックピン、
前記第２ロックピンを前記伸展位置に付勢している第２ロック付勢ばね、及び
前記第２ロックピンへ動作可能に連結されている少なくとも１つの第２ロックピン解放部であって、作動させると前記第２ロックピンを前記第２取り付け板に向けて引き込み位置へと引き込み、解放すると前記第２ロック付勢ばねに前記第２ロックピンを前記伸展位置に付勢させる前記少なくとも１つの第２ロックピン解放部、を備えている第２解放機構と、
前記第２取り付け板に配置されている少なくとも１つの鍵穴型スロットと、を更に備え、
前記機器インターフェースは、
接続板と、
前記接続板を貫いて配置されている１つ又はそれ以上の機器取り付け孔と、
前記接続板を貫いて配置されているロックピン孔と、
前記取り付け板の前記後面へ連結されている少なくとも１つの取り付けスタッドであって。各取り付けスタッドが接続面から外向きに延びている軸部分と各軸部分の遠位端に配置されている拡大頭部分とを含んでいる前記少なくとも１つの取り付けスタッドであって、当該１つ又はそれ以上の取り付けスタッドの各々は前記少なくとも１つの鍵穴型スロットの各々と滑動式に連結して前記接続板を前記第２の取り付け板へ固定し、且つ前記第２ロックピンが前記ロックピン孔に係合して前記接続板と前記第２取り付け板の間の相対運動を制限する、前記少なくとも１つの取り付けスタッドと、を備えている、取付台アダプタ。
【請求項２】
取付台アダプタにおいて、
取付台であって、
互いに反対側の後面と前面を有する第１取り付け板と、
前記第１取り付け板の前記後面へ連結されている少なくとも１つの取り付けスタッドであって、該取り付けスタッドの各々が前記後面から外向きに延びている軸部分と前記軸部分の遠位端に配置されている拡大頭部分とを含んでいる前記少なくとも１つの取り付けスタッドと、
前記第１取り付け板の前面へ連結されている解放機構であって、
前記取り付け板を貫いて配置されていて伸展位置では前記後面から外向きに伸びているロックピン、
前記ロックピンを前記伸展位置に付勢しているロック付勢ばね、及び
前記ロックピンへ動作可能に連結されている少なくとも１つのロックピン解放部であって、作動させると前記ロックピンを前記取り付け板に向けて引き込み位置へと引き込み、解放すると前記ロック付勢ばねに前記ロックピンを前記伸展位置に付勢させる前記少なくとも１つのロックピン解放部、を備えている前記解放機構と、を備えている前記取付台と、
前記第１取り付け板の前記前面へ連結されているアダプタであって、機器の機器インターフェースと解放可能に連結する前記アダプタと、を備え、
前記アダプタは、
取り付け板と、
前記取り付け板へ連結されていてカラー孔を含んでいる第１カラーと、
前記第１カラーへ連結されていて幅広端と幅狭端を有する鍵穴型スロット孔を含んでいる捕捉板であって、前記鍵穴型スロットは前記カラー孔と長手方向に整列していて前記幅狭端は部分的に前記カラー孔を覆っている、前記捕捉板と、  
前記第１カラーへ連結されている楔解放部と、
前記第１カラーと前記楔解放部との間に連結されており、前記楔解放部をロック位置に付勢する楔付勢ばねと、を更に備えている、取付台アダプタ。
【請求項３】
請求項２に記載の取付台アダプタにおいて、
前記機器インターフェースは、
機器板と、
複数の捕捉案内部を含む皿であって、該複数の捕捉案内部は該皿の互いに反対側の側面に配置されている前記皿と、
前記機器板と前記皿との間に連結されている楔と、を備えており、
前記皿は、前記カラー孔と、当該カラー孔の複数の案内壁が当該皿の複数の側面に係合することを通じて噛み合い式に連結して、前記機器板を前記楔式取付台と整列するように強制し、
前記楔は前記鍵穴型スロット孔の前記幅狭区域と滑動式に連結し、
前記楔解放部がロック解除位置にあるとき、前記機器インターフェースは前記アダプタに対して自由に動け、
前記楔解放部が前記ロック位置にあるとき、前記捕捉板は前記機器板と前記複数の捕捉案内の間に固定されており、前記機器インターフェースは前記アダプタに対する自身の運動を制限されている、取付台アダプタ。
【請求項４】
静脈注射（ＩＶ）バッグキットにおいて、
ＩＶフック機構であって、
前記ＩＶフック機構の中心軸に沿って配置されている中心シャフトと、
前記中心シャフトの近位端へ連結されている取付頭部と、
解放ばねによって前記取付頭部に向けて付勢されて前記中心シャフト上に滑動式に配置されている押圧カラーと、
収納位置及び使用位置へ動けるように枢動可能に前記中心シャフトへ連結されている少なくとも１つのフックと、を備えているＩＶフック機構と、
複数のスロットを有する裏打板を備えている軌道体であって、各スロットは互いに実質的に平行であり、各スロットは複数の開口領域と前記複数の開口領域を接続している複数のネックダウン領域を備え、前記取付頭部が前記複数のスロットの各々と滑動式に連結するようになっている、軌道体と、を備え、 
ＩＶバッグＶｅｌｃｒｏ（登録商標）ラップであって、
ベルト式取付台を貫通配置されているシャフト孔と、少なくとも１つのベルトループ孔と、互いに実質的に平行な複数の押圧腕部と、を有する前記ベルト式取付台と、
第２シャフトの遠位端へ連結されている第２取付頭部と、
前記シャフト孔を通って位置している前記第２シャフトの近位端に連結されているタブ頭部と、
前記タブ頭部と前記ベルト式取付台の間に連結されている第２付勢ばねであって、前記第２取付頭部を前記ベルト式取付台に押し当てて付勢している前記第２付勢ばねと、
前記少なくとも１つのベルトループ孔を通して連結されていてＩＶバッグを固定するのに使用されるベルトと、備えており、
前記タブ頭部を前記ベルト式取付台に向けて作動させることによって前記第２解放ばねが圧縮され、これにより前記第２取付頭部を外へ前記複数の押圧腕部を越えて伸展させたら、当該ＩＶバッグＶｅｌｃｒｏ（登録商標）ラップが滑動式にスロットに係合する、前記ＩＶバッグＶｅｌｃｒｏ（登録商標）ラップ、を更に備えている、ＩＶバッグキット。
【請求項５】
軌道体であって、
該軌道体は、中央スロットと第１外側スロットと第２外側スロットを有する裏打板を備えており、
前記中央スロットは前記裏打板を備え、
前記第１外側スロット及び前記第２外側スロットは、複数の開口領域及び当該複数の開口領域を接続している複数のネックダウン領域を備え、
４つおきの開口領域は目標開口領域であって各開口領域より大きい直径の孔を有し、
前記中央スロットは複数の開口領域及び当該複数の開口領域を接続している複数のネックダウン領域を備えており、
前記第１外側スロット、前記中央スロット、及び前記第２外側スロットの前記複数の開口領域は横方向に整列している、軌道体。
【請求項６】
請求項５に記載の軌道体において、前記中央スロットは、前記裏打板に複数のロックピン孔を備えており、前記ロックピン孔は前記複数の開口領域と横方向に整列している、軌道体。
【請求項７】
自己整列式取り付けシステムにおいて、
互いに反対側の前面と後面を有する取り付け板であって、
前記前面へ連結されていて皿孔を含んでいる第１カラーと、
前記第１カラーへ連結されていて前記皿孔を部分的に覆っている鍵穴型スロット孔を含んでいる捕捉板であって、前記皿孔及び前記鍵穴型スロット孔は降着区域と捕捉区域を画定しており、前記降着区域は前記鍵穴型スロット孔と前記皿孔がほぼ同じ寸法である所と定義され、前記捕捉区域は前記鍵穴型スロット孔が前記皿孔より小さくなっている所と定義されている、捕捉板と、
前記第１カラーへ連結されている楔解放部と、
前記第１カラーと前記楔解放部との間に連結されおり、前記楔解放部をロック位置に付勢する楔付勢ばねと、
前記後面へ連結されている少なくとも１つの取り付けスタッドであって、該取り付けスタッドの各々が前記後面から外向きに延びている軸部分と軸部分の遠位端に配置されている拡大頭部分を含んでいる前記少なくとも１つの取り付けスタッドと、
前記取り付け板へ連結されているロックピン解放部であって、
前記取り付け板を貫いて配置されていて伸展位置では前記後面から外向きに伸びているロックピン、
前記ロックピンを前記伸展位置に付勢しているばね、及び、
前記ロックピンへ動作可能に連結されていて、作動させると前記ロックピンを前記取り付け板の中へ引き込み、解放すると前記ばねに前記ロックピンを前記伸展位置に付勢させる少なくとも１つの被解放ロックピンと、を備えている前記ロックピン解放部と、を備えている前記取り付け板と、
機器板であって、
複数の捕捉案内を含んでいる皿と、
前記機器板と前記皿との間に連結されている楔であって、前記皿は前記皿孔と噛み合い式に連結し、前記楔は前記鍵穴型スロット孔と滑動式に連結し、前記楔解放部がロック解除位置にあるとき、前記機器インターフェースは前記アダプタに対して自由に動け、前記楔解放部が前記ロック位置にあるとき、前記捕捉板は前記機器板と前記複数の捕捉案内との間に固定されるようになっている、前記機器板と、を備える、自己整列式取り付けシステム。
【請求項８】
請求項７に記載の自己整列システムにおいて、
前記楔式取付台は軌道体と滑動式に連結し、前記軌道体は、中央スロットと第１外側スロットと第２外側スロットを有する裏打板を備えており、
前記第１外側スロット及び前記第２外側スロットは、ｔ字形状スタッドの丸い頭部を前記裏打板に対して角度を成して前記第１外側スロット及び前記第２外側スロットに係合させられるようにする複数のダイヤモンド輪郭の目標領域を備えており、
前記中央スロットは前記裏打板に複数のロックピン孔を有しており、前記ロックピン孔は前記複数のダイヤモンド輪郭の目標領域と横方向に整列している、自己整列式取り付けシステム。
【請求項９】
請求項７に記載の自己整列システムにおいて、前記機器板は医療装置へ連結されている、自己整列システム。
【請求項１０】
機器を壁へ固定する方法において、
医療装置を、機器板と、複数の捕捉案内部を有する皿と、前記機器板と前記皿との間に連結されている楔と、を備えている楔インターフェースへ固定する段階と、
軌道体を壁へ連結する段階であって、前記軌道体は、中央スロットと第１外側スロットと第２外側スロットとを有する裏打板を備えており、前記第１外側スロット及び前記第２外側スロットは、ｔ字形状スタッドの丸い頭部を前記裏打板に対して角度を成して前記第１外側スロット及び前記第２外側スロットに係合させられるようにする複数のダイヤモンド輪郭の目標領域を備えており、且つ前記中央スロットは前記裏打板に複数のロックピン孔を有しており、前記ロックピン孔は前記複数のダイヤモンド輪郭の目標領域と横方向に整列している、前記軌道体を壁へ連結する段階と、
楔式取付台を前記軌道体へ取付ける段階であって、前記楔式取付台上の１つ又はそれ以上の取り付けスタッドを前記１つ又はそれ以上のダイヤモンド輪郭の目標領域と整列させ前記楔式取付台をロックピンがロックピン孔に係合するロック位置へ滑動式に連結する、前記楔式取付台を前記軌道体へ取り付ける段階であって、前面及び後面を有する前記楔式取付台は、
前記前面へ連結されていて皿孔を含んでいる第１カラーと、
前記第１カラーへ連結されていて幅広端と前記皿孔を部分的に覆っている幅狭端を有する鍵穴型スロット孔を含んでいる捕捉板であって、前記鍵穴型スロット孔の前記幅広区域及び対応する皿孔は降着区域を画定し、前記鍵穴型スロット孔の幅狭端及び対応する皿孔は捕捉区域を画定している、前記捕捉板と、
前記第１カラーへ連結されている楔解放部と、
前記第１カラーと前記楔解放部との間に連結されており、前記楔解放部をロック位置に付勢する楔付勢ばねと、
前記後面へ連結されている少なくとも１つの取り付けスタッドであって、該取り付けスタッドの各々が前記後面から外向きに延びている軸部分と軸部分の遠位端に配置されている拡大頭部分とを含んでいる前記少なくとも１つの取り付けスタッドと、
前記前面へ連結されている解放機構であって、
前記取り付け板を貫いて配置されていて伸展位置では前記後面から外向きに伸びているロックピン、
前記ロックピンを前記伸展位置に付勢しているロック付勢ばねと、
前記ロックピンへ動作可能に連結されていて、作動させると前記ロックピンを前記取り付け板の中へ引き込み、解放すると前記ロック付勢ばねに前記ロックピンを前記伸展位置に付勢させる少なくとも１つの被解放ロックピンと、を備えている前記解放機構とを備える、前記楔式取付台を前記軌道体へ取付ける段階と、
前記楔インターフェースを前記楔式取付台に対して整列させる段階であって、前記皿を前記鍵穴型スロット開口の幅広端を通して前記降着区域へそして前記皿孔の中へ押し入れ、これにより当該皿孔の複数の案内壁が前記皿の複数の勾配の付けられた側面に係合できるようにして、前記楔インターフェースを前記楔式取付台と整列するように強制する、前記楔インターフェースを前記楔式取付台に対して整列させる段階と、
前記機器板を前記楔式取付台と連結する段階であって、前記楔インターフェースの前記楔を前記鍵穴型スロット孔の前記幅狭端の前記捕捉区域の中へ、前記捕捉板が前記機器板と前記複数の捕捉案内部との間に固定されるまで滑動式に動かしてゆく、前記機器板を前記楔式取付台と連結する段階と、
前記楔付勢ばねが前記楔解放部を前記ロック位置に付勢することによって前記楔インターフェースを前記楔式取付台の中へロックする段階と、を備えている方法。
【請求項１１】
請求項１０に記載の方法において、前記楔解放部をロック解除位置へ作動させることによって前記楔インターフェースを前記楔式取付台からロック解除する段階と、
前記楔インターフェースの前記楔を前記鍵穴型スロット孔の前記幅狭端から外へ、前記捕捉板が前記鍵穴型スロット孔の幅広区域に入るまで滑動式に動かすことによって、前記楔インターフェースを前記楔式取付台から連結解除する段階と、
前記皿を前記皿孔から引き抜くことによって前記楔インターフェースを前記楔式取付台から取り外す段階と、を備えている、方法。
【請求項１２】
請求項１０に記載の方法において、前記皿と前記降着区域との前記整列の目視は必要ではない、方法。
【手続補正２】
【補正対象書類名】明細書
【補正対象項目名】００９５
【補正方法】変更
【補正の内容】
【００９５】
[0136]或る特定の用語法が開示中に使用されているが便宜上使用されているだけであって限定を課すものではない。「左」、「右」、「前」、「後」、「上」、「下」という語は、参照先の図面中の方向を指定している。用語法は、以上に指摘されている語並びにそれらの派生語及び同様の意味の語を含む。具体的な実施形態がここに示され説明されてきたが、特許請求の範囲に記載の主題の精神及び範囲から逸脱することなく様々な他の変更及び修正がなされ得るものと理解されたい。また、特許請求の範囲に記載の主題の様々な態様がここに説明されてきたが、その様な態様は組み合わせて利用される必要はない。従って、付随の特許請求の範囲は、特許請求の範囲に記載の主題の範囲に入るその様な変更及び修正を網羅するものとする。以下は、本発明の各種形態である。
(形態１）  取付台アダプタにおいて、
取付台であって、
互いに反対側の後面と前面を有する取り付け板と、
前記取り付け板の前記後面へ連結されている少なくとも１つの取り付けスタッドであって、それぞれが前記後面から外向きに延びている軸部分と前記軸部分の遠位端に配置されている拡大頭部分とを含んでいる少なくとも１つの取り付けスタッドと、
前記前面へ連結されている解放機構であって、
前記取り付け板を貫いて配置されていて伸展位置では前記後面から外向きに伸びているロックピン、
前記ロックピンを前記伸展位置に付勢しているロック付勢ピン、及び
前記ロックピンへ動作可能に連結されていて、作動させると前記ロックピンを前記取り付け板に向けて引き込み位置へと引き込み、解放すると前記ロック付勢ばねに前記ロックピンを前記伸展位置に付勢させる少なくとも１つのロックピン解放、を備えている解放機構と、を備えている取付台と、
前記取り付け板の前記前面へ連結されているアダプタであって、機器の機器インターフェースと解放可能に連結するアダプタと、を備えている取付台アダプタ。
(形態２）  前記アダプタは、
互いに反対側の第１面と第２面を有する第２取り付け板と、
前記第２面へ連結されている第２解放機構であって、
前記第２取り付け板を貫いて配置されていて伸展位置では前記第１面から外向きに伸びている第２ロックピン、
前記第２ロックピンを前記伸展位置に付勢している第２ロック付勢ピン、及び
前記第２ロックピンへ動作可能に連結されていて、作動させると前記第２ロックピンを前記第２取り付け板に向けて引き込み位置へと引き込み、解放すると前記第２ロック付勢ばねに前記第２ロックピンを前記伸展位置に付勢させる少なくとも１つの第２ロックピン解放、を備えている第２解放機構と、
前記第２取り付け板に配置されている少なくとも１つの鍵穴型スロットと、を更に備えている、形態１に記載の取付台アダプタ。
(形態３）  前記機器インターフェースは、
接続板と、
前記接続板を貫いて配置されている１つ又はそれ以上の機器取り付け孔と、
前記接続板を貫いて配置されているロックピン孔と、
前記取り付け板の前記後面へ連結されていて各々が接続面から外向きに延びている軸部分と各軸部分の遠位端に配置されている拡大頭部分とを含んでいる少なくとも１つの取り付けスタッドであって、当該１つ又はそれ以上の取り付けスタッドの各々は前記少なくとも１つの鍵穴型スロットの各々と滑動式に連結して前記接続板を前記第２取り付け板へ固定し、前記第２ロックピンが前記ロックピン孔に係合して前記接続板と前記第２取り付け板の間の相対運動を制限するようになっている、少なくとも１つの取り付けスタッドと、を備えている、形態２に記載の取付台アダプタ。
(形態４）  前記アダプタは、
取り付け板と、
前記取り付け板へ連結されていてカラー孔を含んでいる第１カラーと、
前記第１カラーへ連結されていて幅広端と幅狭端を有する鍵穴型スロット孔を含んでいる捕捉板であって、前記鍵穴型スロットは前記カラー孔と長手方向に整列していて前記幅狭端は部分的に前記カラー孔を覆っている、捕捉板と、  前記第１カラーへ連結されている楔解放と、
前記楔解放をロック位置に付勢するために前記第１カラーと前記楔解放の間に連結されている楔付勢ばねと、を更に備えている、形態１に記載の取付台アダプタ。
(形態５）  前記機器インターフェースは、
機器板と、
複数の捕捉案内を自身の互いに反対側の側面に含んでいる皿と、
前記機器板と前記皿の間に連結されている楔と、を備えており、
前記皿は、前記カラー孔と、当該カラー孔の複数の案内壁が当該皿の複数の側面に係合することを通じて噛み合い式に連結して、前記機器板に前記楔式取付台と整列するように強制し、
前記楔は前記鍵穴型スロット孔の前記幅狭区域と滑動式に連結し、
前記楔解放がロック解除位置にあるとき、前記機器インターフェースは前記アダプタに対して自由に動け、
前記楔解放が前記ロック位置にあるとき、前記捕捉板は前記機器板と前記複数の捕捉案内の間に固定されており、前記機器インターフェースは前記アダプタに対する自身の運動を制限されている、形態４に記載の取付台アダプタ。
(形態６）  静脈注射（ＩＶ）バッグキットにおいて、
ＩＶフック機構であって、
前記ＩＶフック機構の中心軸に沿って配置されている中心シャフトと、
前記中心シャフトの近位端へ連結されている取付頭部と、
解放ばねによって前記取付頭部に向けて付勢されて前記中心シャフト上に滑動式に配置されている押圧カラーと、
収納位置及び使用位置へ動けるように枢動可能に前記中心シャフトへ連結されている少なくとも１つのフックと、を備えているＩＶフック機構と、
複数のスロットを有する裏打板を備えている軌道体であって、各スロットは互いに実質的に平行であり、各スロットは複数の開口領域と前記複数の開口領域を接続している複数のネックダウン領域を備え、前記取付頭部が前記複数のスロットの各々と滑動式に連結するようになっている、軌道体と、を備えている静脈注射（ＩＶ）バッグキット。
(形態７）  ＩＶバッグＶｅｌｃｒｏ（登録商標）ラップであって、
貫通配置されているシャフト孔と、少なくとも１つのベルトループ孔と、互いに実質的に平行な複数の押圧腕部と、を有するベルト式取付台と、
第２シャフトの遠位端へ連結されている第２取付頭部と、
前記シャフト孔を通って位置している前記第２シャフトの近位端に連結されているタブ頭部と、
前記タブ頭部と前記ベルト式取付台の間に連結されている第２付勢ばねであって、前記第２取付頭部を前記ベルト式取付台に押し当てて付勢している第２付勢ばねと、
前記少なくとも１つのベルトループ孔を通して連結されていてＩＶバッグを固定するのに使用されるベルトと、備えており、前記タブ頭部を前記ベルト式取付台に向けて作動させることによって前記第２解放ばねが圧縮され、前記第２取付頭部を外へ前記複数の押圧腕部より向こうへ伸展させたら、当該ＩＶバッグＶｅｌｃｒｏ（登録商標）ラップを滑動式にスロットに係合させられるようになる、ＩＶバッグＶｅｌｃｒｏ（登録商標）ラップ、を更に備えている形態６に記載のＩＶバッグキット。
(形態８）  機器軌道取付台において、
軌道体面と機器面を有するレールと、
前記レールへ連結されている複数の取付スタッドであって、各々が前記軌道体面から外向きに延びている軸部分と各軸部分の遠位端に配置されている拡大頭部分を含んでいる複数の取付スタッドと、
前記機器面へ連結されている１つ又はそれ以上のねじの切られたロッドと、
前記レールを貫いて配置されていて伸展位置では前記軌道体面から外向きに伸びているロックピンと、
前記ロックピンを伸展位置に付勢しているロック付勢ばねと、
前記機器面へ連結されていて前記ロックピンへ動作可能に連結されている制御ノブであって、作動させると前記ロックピンを前記取り付け板の中へ引き込み、解放すると前記ロック付勢ばねに前記ロックピンを前記伸展位置に付勢させる制御ノブと、を備えている機器軌道体取付台。
(形態９）  前記１つ又はそれ以上のねじの切られたロッドへ連結されている保定フックであって、
支持板へ連結されているフックと、
前記フックの基部に連結されていて紐状材料を保定するように構成されている受け座と、
付勢ばねによって閉位置に付勢されていて前記支持板へヒンジ式に連結されている保定クリップであって、当該保定クリップを開位置へ作動させること無しの前記紐状材料の取り外しを阻止するように構成されている保定クリップと、を備えている保定フック、を更に備えている形態８に記載の機器軌道体取付台。
(形態１０）  前記１つ又はそれ以上のねじの切られたロッドへ連結されている二重取付板と、
前記二重取付板へ連結されている第１保定フックであって、
第１支持プレートへ連結されている第１フック、
前記第１フックの第１基部に連結されていて第１の紐状材料を保定するように構成されている第１受け座、及び、
第１付勢ばねによって閉位置に付勢されていて前記第１支持板へヒンジ式に連結されている第１保定クリップであって、当該第１保定クリップを開位置へ作動させること無しの前記第１紐状材料の取り外しを阻止するように構成されている第１保定クリップ、を備えている第１保定フックと、
前記第１保定フックに加えて前記二重取り付け板へ連結されている第２保定フックであって、
第２支持プレートへ連結されている第２フック、
前記第２フックの第２基部に連結されていて第２の紐状材料を保定するように構成されている第２受け座、及び、
第２付勢ばねによって閉位置に付勢されていて前記第２支持板へヒンジ式に連結されている第２保定クリップであって、当該第２保定クリップを開位置へ作動させること無しの前記第２紐状材料の取り外しを阻止するように構成されている第２保定クリップ、を備えている第２保定フックと、を更に備えている形態８に記載の機器軌道取付台。
(形態１１）  前記１つ又はそれ以上のねじ切られたロッドへ連結されている電灯組立体取付台であって、
前記電灯組立体取付台へ連結されているクランプと、
近位端を前記クランプへ連結されている可撓性首部と、
前記可撓性首部の遠位端へ連結されている電灯組立体と、を備えている電灯組立体取付台、を更に備えている形態８に記載の機器軌道取付台。
(形態１２）  前記１つ又はそれ以上のねじの切られたロッドへ連結されている静脈注射（ＩＶ）バッグ取付台であって、
近位端を前記１つ又はそれ以上のねじの切られたロッドへ連結されているマストと、
前記マストの遠位端に連結されている保定フックであって、
支持板へ連結されているフック、    前記フックの基部に連結されていて紐状材料を保定するように構成されている受け座、及び、
付勢ばねによって閉位置に付勢されていて前記支持板へヒンジ式に連結されている保定クリップであって、当該保定クリップを開位置へ作動させること無しの前記紐状材料の取り外しを阻止するように構成されている保定クリップ、を備えている保定フックと、
前記マストの近位端へ連結されているＩＶバッグＶｅｌｃｒｏ（登録商標）ラップであって、
少なくとも１つのベルトループ孔、及び、
ＩＶバッグを前記軌道体へ固定するために前記少なくとも１つのベルトループ孔を通して連結されているベルト、を備えているＩＶバッグＶｅｌｃｒｏ（登録商標）ラップと、を備えているＩＶバッグ取付台、を更に備えている形態８に記載の機器軌道体取付台。
(形態１３）  中央スロットと第１外側スロットと第２外側スロットを有する裏打板を備えている軌道において、前記中央スロットは前記裏打板を備え、前記第１スロット及び前記第２スロットは複数の開口領域及び当該複数の開口領域を接続している複数のネックダウン領域を備えており、４つおきの開口領域は目標開口領域であって各開口領域より大きい直径の孔を有している、軌道体。
(形態１４）  前記中央スロットは、前記裏打板に複数のロックピン孔を備えており、前記ロックピン孔は前記複数の開口領域と横方向に整列している、形態１３に記載の軌道体。
(形態１５）  前記中央スロットは前記複数の開口領域及び当該複数の開口領域を接続している前記複数のネックダウン領域を備えており、前記第１外側スロット、前記中央スロット、及び前記第２外側スロットの前記複数の開口領域は横方向に整列している、形態１３に記載の軌道体。
(形態１６）  中央スロットと第１外側スロットと第２外側スロットを有する裏打板を備えている急速取付軌道体において、前記第１外側スロット及び前記第２外側スロットは、ｔ字形状スタッドの丸い頭部を前記裏打板に対して角度を成して前記第１外側スロット及び前記第２外側スロットに係合させられるようにする複数のダイヤモンド輪郭の目標領域を備えており、前記中央スロットは前記裏打板に複数のロックピン孔を有しており、前記ロックピン孔は前記複数のダイヤモンド輪郭の目標領域と横方向に整列している、急速取付軌道体。
(形態１７）  構造的軌道体において、
互いに反対側の表面と裏面を有する裏打板であって、
複数の開口領域及び当該複数の開口領域を接続している複数のネックダウン領域を有する第１外側スロット、
複数の開口領域及び当該複数の開口領域を接続している複数のネックダウン領域を有する第２外側スロット、
前記裏打板に複数のロックピン孔を有する中央スロットであって、前記ロックピン孔は前記第１外側スロット及び前記第２外側スロットの前記複数の開口領域と横方向に整列している、中央スロット、
第１壁覆い材を前記裏打板の前記表面と面一に支持するための当該裏打板の第１外側縁に沿った第１トリムタブ、及び、
第２壁覆い材を前記裏打板の前記表面と面一に支持するための当該裏打板の第２外側縁に沿った第２トリムタブ、を備えている裏打板と、
前記第１壁覆い材と前記第２壁覆い材と外側壁覆い材を支持するための構造を含んでいる壁組立体のための支持を提供するために、前記裏打板の前記裏面へ連結されている支持構造と、を備えている構造的軌道体。
(形態１８）  自己整列式取り付けシステムにおいて、
互いに反対側の前面と後面を有する取り付け板であって、
前記前面へ連結されていて皿孔を含んでいる第１カラーと、
前記第１カラーへ連結されていて前記皿孔を部分的に覆っている鍵穴型スロット孔を含んでいる捕捉板であって、前記皿孔及び前記鍵穴型スロット孔は降着区域と捕捉区域を画定しており、前記降着区域は前記鍵穴型スロット孔と前記皿孔がほぼ同じ寸法である所と定義され、前記捕捉区域は前記鍵穴型スロット孔が前記皿孔より小さくなっている所と定義されている、捕捉板と、
前記第１カラーへ連結されている楔解放と、
前記楔解放をロック位置に付勢するために前記第１カラーと前記楔解放の間に連結されている楔付勢ばねと、
前記後面へ連結されている少なくとも１つの取り付けスタッドであって、それぞれが前記後面から外向きに延びている軸部分と軸部分の遠位端に配置されている拡大頭部分を含んでいる少なくとも１つの取り付けスタッドと、
前記取り付け板へ連結されているロックピン解放であって、
前記取り付け板を貫いて配置されていて伸展位置では前記後面から外向きに伸びているロックピン、
前記ロックピンを前記伸展位置に付勢しているばね、及び、
前記ロックピンへ動作可能に連結されていて、作動させると前記ロックピンを前記取り付け板の中へ引き込み、解放すると前記ばねに前記ロックピンを前記伸展位置に付勢させる少なくとも１つの被解放ロックピンと、を備えているロックピン解放と、を備えている取り付け板と、
機器板であって、
複数の捕捉案内を含んでいる皿と、
前記機器板と前記皿の間に連結されている楔であって、前記皿は前記皿孔と噛み合い式に連結し、前記楔は前記鍵穴型スロット孔と滑動式に連結し、前記楔解放がロック解除位置にあるとき、前記機器インターフェースは前記アダプタに対して自由に動け、前記楔解放が前記ロック位置にあるとき、前記捕捉板は前記機器板と前記複数の捕捉案内の間に固定されるようになっている、機器板と、を備えている自己整列式取り付けシステム。
(形態１９）  前記楔式取付台は軌道体と滑動式に連結し、前記軌道体は、中央スロットと第１外側スロットと第２外側スロットを有する裏打板を備えており、前記第１外側スロット及び前記第２外側スロットは、ｔ字形状スタッドの丸い頭部を前記裏打板に対して角度を成して前記第１外側スロット及び前記第２外側スロットに係合させられるようにする複数のダイヤモンド輪郭の目標領域を備えており、前記中央スロットは前記裏打板に複数のロックピン孔を有しており、前記ロックピン孔は前記複数のダイヤモンド輪郭の目標領域と横方向に整列している、形態１８に記載の自己整列式取り付けシステム。
(形態２０）  前記機器板は医療装置へ連結されている、形態１８に記載の自己整列システム。
(形態２１）  機器を壁へ固定する方法において、
医療装置を、機器板と、複数の捕捉案を有する皿と、前記機器板と前記皿の間に連結されている楔と、を備えている楔インターフェースへ固定する段階と、
軌道体を壁へ連結する段階であって、前記軌道は、中央スロットと第１外側スロットと第２外側スロットを有する裏打板を備えており、前記第１外側スロット及び前記第２外側スロットは、ｔ字形状スタッドの丸い頭部を前記裏打板に対して角度を成して前記第１外側スロット及び前記第２外側スロットに係合させられるようにする複数のダイヤモンド輪郭の目標領域を備えており、前記中央スロットは前記裏打板に複数のロックピン孔を有しており、前記ロックピン孔は前記複数のダイヤモンド輪郭の目標領域と横方向に整列している、軌道体を壁へ連結する段階と、  楔式取付台を前記軌道へ、前記楔式取付台上の１つ又はそれ以上の取り付けスタッドを前記１つ又はそれ以上のダイヤモンド輪郭の目標領域と整列させ前記楔式取付台をロックピンがロックピン孔に係合するロック位置へ滑動式に連結することによって取り付ける段階であって、前面及び後面を有する前記楔式取付台は、
前記前面へ連結されていて皿孔を含んでいる第１カラーと、
前記第１カラーへ連結されていて幅広端と前記皿孔を部分的に覆っている幅狭端を有する鍵穴型スロット孔を含んでいる捕捉板であって、前記鍵穴型スロット孔の前記幅広区域及び対応する皿孔は降着区域を画定し、前記鍵穴型スロット孔の幅狭端及び対応する皿孔は捕捉区域を画定している、捕捉板と、
前記第１カラーへ連結されている楔解放と、
前記楔解放をロック位置に付勢するために前記第１カラーと前記楔解放の間に連結されている楔付勢ばねと、
前記後面へ連結されている少なくとも１つの取り付けスタッドであって、それぞれが前記後面から外向きに延びている軸部分と軸部分の遠位端に配置されている拡大頭部分を含んでいる少なくとも１つの取り付けスタッドと、
前記前面へ連結されている解放機構であって、
前記取り付け板を貫いて配置されていて伸展位置では前記後面から外向きに伸びているロックピン、
前記ロックピンを前記伸展位置に付勢しているロック付勢ばね、を備えている解放機構と、
前記ロックピンへ動作可能に連結されていて、作動させると前記ロックピンを前記取り付け板の中へ引き込み、解放すると前記ロック付勢ばねに前記ロックピンを前記伸展位置に付勢させる少なくとも１つの被解放ロックピンと、を備えている楔式取付台を前記軌道体へ取り付ける段階と、
前記皿を前記鍵穴型スロット開口の幅広端を通して前記降着区域へそして前記皿孔の中へ押し入れ、当該皿孔の複数の案内壁が前記皿の複数の勾配の付けられた側面に係合できるようにして、前記楔インターフェースを前記楔式取付台と整列するように強制することによって、前記楔インターフェースを前記楔式取付台に対して整列させる段階と、
前記楔インターフェースの前記楔を前記鍵穴型スロット孔の前記幅狭端の前記捕捉区域の中へ、前記捕捉板が前記機器板と前記複数の捕捉案内の間に固定されるまで滑動式に動かしてゆくことによって、前記機器板を前記楔式取付台と連結する段階と、
前記楔付勢ばねが前記楔解放を前記ロック位置に付勢することによって前記楔インターフェースを前記楔式取付台の中へロックする段階と、を備えている方法。
(形態２２）  前記楔解放をロック解除位置へ作動させることによって前記楔インターフェースを前記楔式取付台からロック解除する段階と、
前記楔インターフェースの前記楔を前記鍵穴型スロット孔の前記幅狭端から外へ、前記捕捉板が前記鍵穴型スロット孔の幅広区域に入るまで滑動式に動かすことによって、前記楔インターフェースを前記楔式取付台から連結解除する段階と、
前記皿を前記皿孔から引き抜くことによって前記楔インターフェースを前記楔式取付台から取り外す段階と、を備えている形態２１に記載の方法。
(形態２３）  前記皿と前記降着区域の前記整列の目視は必要ではない、形態２１に記載の方法。
【外国語明細書】
2018048741000001.pdf